(57)【特許請求の範囲】
【請求項１】
複数のサービング周波数を同時に使用して基地局装置と端末装置が通信可能な通信システムにおいて用いられる前記端末装置であって、
前記サービング周波数を使用する通信セルとサービング周波数以外の周波数を使用する通信セルの少なくともいずれか１つの電波状況の測定結果報告を前記基地局装置へ送信するためのイベントの発生を検知するイベント検知部と、
前記端末装置が前記複数のサービング周波数を同時に使用している場合であって、前記イベントの発生した周波数が前記サービング周波数以外の周波数である場合には、前記イベントの発生に基づいて、前記イベントが発生した前記サービング周波数以外の周波数を使用する通信セルの電波状況を示す情報と、前記サービング周波数を使用する通信セルの電波状況を示す情報とを含んだ前記測定結果報告を作成する測定結果報告作成部と、
を備える、端末装置。
【請求項２】
前記測定結果報告は、受信電力（ＲＳＲＰ）に示された電波状況に基づいて前記サービング周波数以外の周波数から選択された最も品質のよいサービング周波数以外の周波数の通信セルに関する情報をさらに含む、請求項１に記載の端末装置。
【請求項３】
前記測定結果報告は、前記イベントが発生したサービング周波数以外の周波数に設定された参照品質と比較してより高い通信品質を有すると判断された電波品質の通信セルを示す情報を含む、請求項２に記載の端末装置。
【請求項４】
前記測定結果報告は、複数のサービング周波数における複数の通信セルと、複数のサービング周波数以外の周波数における複数の通信セルの電波状況をそれぞれ示す情報を含む、請求項１に記載の端末装置。
【請求項５】
複数のサービング周波数を同時に使用して基地局装置と端末装置が通信可能な通信システムにおいて用いられる通信方法であって、
前記サービング周波数を使用する通信セルとサービング周波数以外の周波数を使用する通信セルの少なくともいずれか１つの電波状況の測定結果報告を前記基地局装置へ送信するためのイベントの発生を検知するステップと、
前記端末装置が前記複数のサービング周波数を同時に使用している場合であって、前記イベントの発生した周波数が前記サービング周波数以外の周波数である場合には、前記イベントの発生に基づいて、前記イベントが発生した前記サービング周波数以外の周波数を使用する通信セルの電波状況を示す情報と、前記サービング周波数を使用する通信セルの電波状況を示す情報とを含んだ前記測定結果報告を作成するステップと、
を含む、通信方法。
【請求項６】
前記測定結果報告は、受信電力（ＲＳＲＰ）に示された電波状況に基づいて前記サービング周波数以外の周波数から選択された最も品質のよいサービング周波数以外の周波数の通信セルに関する情報をさらに含む、請求項５に記載の通信方法。
【請求項７】
前記測定結果報告は、前記イベントが発生したサービング周波数以外の周波数に設定された参照品質と比較してより高い通信品質を有すると判断された電波品質の通信セルを示す情報を含む、請求項６に記載の通信方法。
【請求項８】
前記測定結果報告は、複数のサービング周波数における複数の通信セルと、複数のサービング周波数以外の周波数における複数の通信セルの電波状況をそれぞれ示す情報を含む、請求項５に記載の通信方法。
【発明の詳細な説明】
【技術分野】
【０００１】
本発明は、複数の周波数を利用して基地局装置と端末装置が通信できる無線通信システムに関するものである。
【背景技術】
【０００２】
標準化団体３ＧＰＰ（The  3rd  Generation  Partnership  Project）は、W-CDMA（Wideband  Code  Division  Multiple  Access）方式の次世代の通信規格として、ＬＴＥ（Long  Term  Evolution）の標準化を進めている（例えば、非特許文献１〜３参照）。
【０００３】
このLTEでは、ネットワーク（E-UTRAN：Evolved  Universal  Mobile  Radio  Access  Network）の基地局（E-UTRAN  NodeB：eNBともいう）が、複数の通信セル（セルともいう）を持っており、端末（User  Equipment、以下UEともいう）は、そのうちの一つのセルに属している。端末の状態は、アイドル状態（RRC_Idle）と呼ばれる基地局と無線ベアラ（Radio  Bearer）を張っていない状態と、コネクテッド状態（RRC_Connected）と呼ばれる基地局と無線ベアラを張っている状態がある。端末は、データの送受信を行う場合、アイドル状態からコネクテッド状態に移行する必要がある。
【０００４】
図１５は、端末のアイドル状態からコネクテッド状態への移行を説明するためのシーケンス図である。端末は、基地局と同期するために、ランダムアクセス手段（Random  Access  Channel  Procedure、以下RACH  procedureともいう）を用いる。図１５に示すように、端末は、RACHを基地局に対して送り、基地局はそのRACHに対する応答としてRACH応答メッセージ（RACH  response）を端末に送る。以上の動作により、端末は基地局と同期することができ、共通制御チャネル（Common  Control  Channel、以下CCCHともいう）を使用して無線資源制御メッセージ（Radio  Resource  Control  message、以下RRC  messageともいう）を送受信するためのシグナリング無線ベアラ０番（Signaling  Radio  Bearer  0、以下SRB0ともいう）を使用することができるようになる。
【０００５】
そして、端末は、SRB0を用いて、RRC接続を確立するために、RRC接続要求（RRC  Connection  Request）を基地局に送る。基地局は、個別制御チャネル（Dedicated  Control  Channel、以下DCCHともいう）を使用してRRC  messageと非アクセス層メッセージ（Non-Access  Stratum  message、以下NAS  messageともいう）を送受信するためのシグナリング無線ベアラ１番（Signaling  Radio  Bearer  1、以下SRB1ともいう）を確立するために、SRB0を使用して端末にRRC接続セットアップ（RRC  Connection  Setup）を送信する。端末は、RRC接続セットアップを受信すると、SRB1を確立する。
【０００６】
次に、端末は、RRC接続の確立が成功して完了したことを確認するために、SRB1を使用して、RRC接続セットアップ完了（RRC  Connection  Setup  Complete）を基地局に送る。基地局は、ASセキュリティ（Access  Stratum  Security、AS  Security）を有効にするために、SRB1を利用して、セキュリティモードコマンド（Security  Mode  Command）を送り、その後、端末から送られてくるセキュリティモード完了（Security  Mode  Complete）を受信すると、AS  Securityが端末と基地局の間で有効になる。
【０００７】
また、このとき、基地局は、緊急度が低いNAS  message（例えば、service追加など）よりも緊急度の高いRRC  message（例えば、Handover  Command,  Measurement  Report）の送信を優先するために、SRB1よりも優先度を下げてNAS  messageを送受信するためのシグナリング無線ベアラ２番（Signaling  Radio  Bearer  2、以下SRB2ともいう）を確立する。基地局がRRC接続再設定（RRC  Connection  Reconfiguration）を端末に送信し、端末がRRC接続再設定を受信すると、SRB2が確立される。端末は、RRC接続再設定が成功して完了したことを確認するために、SRB1を使用して、RRC接続再設定完了（RRC  Connection  Reconfiguration  Complete）を基地局に送信する。
【０００８】
このRRC接続再設定には、端末と基地局間でデータを送受信するためのデータ無線ベアラ（Data  Radio  Bearer、以下DRBともいう）の設定情報が含まれており、端末は、RRC接続再設定からDRBを確立する。以上のようにして、端末はコネクテッド状態に移行することができる。
【０００９】
コネクテッド状態の端末がセルの外に移動する場合、通信断を防ぐために、端末が自セルとの通信を他セルとの通信に切り替えるハンドオーバ（Handover、以下HOともいう）  という技術が使用される。図１６は、ハンドオーバの一例を示すシーケンス図である。図１６に示すように、端末は、上記のRRC  Connection  Reconfigurationに含まれている受信信号の測定（Measurement）の設定を基に、受信電力、あるいは、受信品質を測定し、測定結果報告（Measurement  Report）を送るイベント（例えば、受信電力が設定された閾値を越える）が発生すると測定結果を測定結果報告として接続している基地局（以下、Source  eNBともいう）に送る。Source  eNBは、その測定結果報告を基にして、端末のハンドオーバ先となる基地局（以下、Target  eNBともいう）を決定し、ハンドオーバの要求とハンドオーバに必要な情報をTarget  eNBに伝えるために、ハンドオーバ要求（Handover  Request）をTarget  eNBに送る。
【００１０】
Target  eNBは、Handover  Requestを受信すると、測定の設定（Measurement  Configuration）、移動制御情報（Mobility  Control  Information）、無線資源の設定（Radio  Resource  Configuration）、セキュリティの設定（Security  Configuration）などを含めたハンドオーバコマンド（Handover  Command）を作成し、ハンドオーバ要求応答（Handover  Request  ACK）として、ハンドオーバコマンドをSource  eNBに送る。Source  eNBは、Target  eNBからハンドオーバコマンドを受信すると、そのハンドオーバコマンドをそのままUEに送る。このとき、Source  eNBは、UEにDL  allocationをUEに送る。また、Source  eNBは、まだUEに送っていないデータパケットの番号（Sequence  Number、以下SNともいう）のうち、一番早くUEに送るデータパケットのSNをTarget  eNBに転送し、UEに送るデータもTarget  eNBに転送する。
【００１１】
UEは、RACH  procedureを用いてTarget  eNBと同期を取り、Target  eNBにハンドオーバ確認（Handover  Confirmation）を送り、ハンドオーバを完了する。以上のようにして、コネクテッド状態のUEは、通信中の基地局から通信断なく他の基地局に通信を切り替えることができる。
【００１２】
端末に受信電力または受信品質を測定させるためのMeasurementの設定は、測定を示す識別子であるMeasurement  Identities（MeasID）、測定する対象を示すMeasurement  Object（MeasObject）、測定結果のフィルタリング（filtering）処理動作などを示すQuantity  Configuration（QuantityConfig）、測定結果報告（Measurement  Report）の設定を示すReporting  Configuration（ReportConfig）、測定結果の値の設定を示すQuantity  Configuration、他の周波数・他のシステムを測定するためのデータを送受信しない期間を示すMeasurement  gapなどの情報を含んでいる。そして、このMeasurementの設定は、RRC  Connection  Reconfigurationに含めてeNBからUEに送られる。その中でも、MeasID、MeasObject、ReportConfigは連携動作をする。図１７は、Measurementの設定の一例を示す図である。
【００１３】
図１７に示すように、MeasIDは、測定を示す識別子であり、MeasObjectを示す識別子であるMeasObjectIDと、ReportConfigを示す識別子であるReportConfigIDとの組み合わせによって構成されるMeasurementを識別する。図１８は、MeasObjectの一例を示す図である。図１８に示すように、MeasObjectは、キャリア周波数、測定の帯域幅、周波数オフセット、隣接セルリスト、ブラックリスト、ＣＧＩ報告（report  CGI  （Cell  Global  Identity））などにより構成される。ReportConfigは、測定結果報告のトリガーの種類、トリガークオンティティ（Trigger  Quantity）、レポートクオンティティ（Report  Quantity）、レポートするセルの最大数、レポートの周期、レポート量（reoprtAmount）などにより構成される。
【００１４】
Measurement  Reportの送り方としては、イベント発生時に送るもの（event  trigger  reporting）、周期的に送るもの（periodic  reporting）、イベント発生後には周期的に送るもの（event  trigger  periodic  reporting）がある。E-UTRANのイベントの種類には、例えば、サービングセルが閾値よりも高い、サービングセルが閾値よりも低い、隣接セルがサービングセルよりもよい、隣接セルが閾値よりもよい、サービングセルが閾値１よりも悪く隣接セルが閾値２よりもよい、などの５種類がある。
【００１５】
図１９は、Measurement  Reportの一例を示す図である。図１９に示したMeasurement  Reportの例では、MeasID、サービングセルの参照信号受信電力（Reference  Signal  Received  Power、以下RSRPともいう）、サービングセルの参照信号受信品質（Reference  Signal  Received  Quality、以下RSRQともいう）の情報が先頭部分に含まれており、その次の部分には、隣接セル（Neighbour  cell）の情報が含まれている。隣接セルの情報には、物理セル識別子（Physical  Cell  Identity、以下PCIともいう）の情報が含まれており、さらにオプションで、世界セル識別子（Global  Cell  Identity、以下CGIともいう）、トラッキングエリアコード（Tracking  Area  Code）、PLMN識別子リスト（Public  Land  Mobile  Network  Identity  List、以下PLMNリストともいう）の情報が含まれている。また、この隣接セルの情報には、オプションとして、RSRP、RSRQの情報が含まれている。隣接セルが複数ある場合には、複数の隣接セルの情報が含まれる。例えば、図１９に示すように、一つ目の隣接セルの情報の後ろに、次の隣接セルの情報が含まれる。端末は、MeasIDで示されたMeasurementを行い、Measurement  Reportを基地局に送る。基地局は、Measurement  Reportに基づいてハンドオーバを行うか否か（ハンドオーバを行うのであれば、どのセルへのハンドオーバを行うのか）を決定し、ハンドオーバを行う場合にはその手順を開始する。
【００１６】
ところで、近年、標準化団体３ＧＰＰは、ＬＴＥと互換性のある次世代の無線通信規格として、ＬＴＥ−Ａ（LTE-Advanced）の標準化を進めている。ＬＴＥ−Ａでは、端末が１つの基地局の複数のキャリア周波数を使用するバンドアグリゲーション（Band  Aggregation、  Carrier  Aggregationともいう）の導入が検討されている。図２０は、バンドアグリゲーションの概要を示す図である。図２０では、例えば３つのコンポーネントキャリア（キャリア周波数がｆ１、ｆ２、ｆ３）のうち、キャリア周波数がｆ１とｆ２の２つのコンポーネントキャリアを、端末が使用する例が示されている。このように、複数のコンポーネントキャリアを使用することにより、端末と基地局間の通信のスループットの向上が期待されている。
【００１７】
しかしながら、上記従来の方法では、測定結果報告を送るイベントの発生が自セルとの比較により決定されるので、バンドアグリゲーションで複数の周波数（例えばｆ１とｆ２の２つの周波数）を使用する場合には、自セルが２つ存在することと等しくなる。そうすると、一方の自セルにおいて測定結果報告を送るイベントが発生し、端末が基地局に測定結果報告を送り、基地局がその測定結果報告をもとにハンドオーバを決定すると、他方の自セルの状況を全く考慮しないため、適切なハンドオーバが行われないことになる。
【００１８】
そこで、基地局が端末に他方の自セルを基準とした測定結果報告の送信を要求する方法を採用することも考えられるが、その場合には、基地局が他方の自セルの測定結果報告を受信するまでに、基地局からのRRC  Connection  Reconfigurationの送信、端末からの他方の自セルの測定結果報告の受信という動作が必要となるため、（ハンドオーバにかかる時間をできる限り短くしたいという要求に反して）ハンドオーバにかかる時間が長くなってしまう。
【先行技術文献】
【非特許文献】
【００１９】
【非特許文献１】3GPP  TS36.331  v8.4.0  “Evolved  Universal  Terrestrial  Radio  Access  (E-UTRA)  Radio  Resource  Control  (RRC)”
【非特許文献２】3GPP  TS36.300  v8.7.0  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献３】3GPP  TS25.331  v8.5.0  “Radio  Resource  Control  (RRC);  Protocol  specification”
【発明の概要】
【発明が解決しようとする課題】
【００２０】
本発明は、上記背景の下でなされたものである。本発明の目的は、複数の周波数を利用して基地局装置と端末装置が通信できる無線通信システムにおいて、端末装置のハンドオーバにかかる時間を短縮することのできる無線通信システムを提供することにある。
【課題を解決するための手段】
【００２１】
本発明の一の態様は、複数の周波数を利用して基地局装置と端末装置が通信可能な無線通信システムにおいて用いられる端末装置であって、この端末装置は、基地局装置に設定された周波数におけるセルの電波状況の測定結果報告を通信中の基地局装置へ送信するためのイベントの発生を検知するイベント検知部と、イベントの発生に基づいて、イベントが発生した周波数と異なる他の周波数とにおけるセルの電波状況を示す情報を含んだ測定結果報告を作成する測定結果報告作成部と、を備え、基地局装置では、端末装置から送信された測定結果報告に基づいて、端末装置のセルへのハンドオーバを行うか否かが制御される。
【００２２】
本発明の別の態様は、複数の周波数を利用して基地局装置と端末装置が通信可能な無線通信システムであって、端末装置は、基地局装置に設定された周波数におけるセルの電波状況の測定結果報告を通信中の基地局装置へ送信するためのイベントの発生を検知するイベント検知部と、イベントの発生に基づいて、イベントが発生した周波数と異なる他の周波数とにおけるセルの電波状況を示す情報を含んだ測定結果報告を作成する測定結果報告作成部と、を備え、基地局装置は、端末装置から送信された測定結果報告に基づいて、端末装置のセルへのハンドオーバを行うか否かを制御するハンドオーバ制御部を備えている。
【００２３】
本発明の別の態様は、複数の周波数を利用して基地局装置と端末装置が通信可能な無線通信システムにおいて用いられる基地局装置であって、端末装置では、基地局装置に設定された周波数におけるセルの電波状況の測定結果報告を通信中の基地局装置へ送信するためのイベントの発生に基づいて、イベントが発生した周波数と異なる他の周波数とにおけるセルの電波状況を示す情報を含んだ測定結果報告が作成され、基地局装置は、端末装置から送信された測定結果報告に基づいて、端末装置のセルへのハンドオーバを行うか否かを制御するハンドオーバ制御部を備えている。
【００２４】
本発明の別の態様は、複数の周波数を利用して基地局装置と端末装置が通信可能な無線通信システムにおいて用いられる無線通信方法であって、この方法は、端末装置において、基地局装置に設定された周波数におけるセルの電波状況の測定結果報告を通信中の基地局装置へ送信するためのイベントの発生を検知することと、端末装置において、イベントの発生に基づいて、イベントが発生した周波数と異なる他の周波数とにおけるセルの電波状況を示す情報を含んだ測定結果報告を作成することと、基地局装置において、端末装置から送信された測定結果報告に基づいて、端末装置のセルへのハンドオーバを行うか否かを制御することと、を含んでいる。
【００２５】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００２６】
【図１】図１は、無線通信システムにおける基地局装置と端末装置の位置関係の一例を示す図
【図２】図２は、第１の実施の形態の端末装置の構成を説明するためのブロック図
【図３】図３は、第１の実施の形態の基地局装置の構成を説明するためのブロック図
【図４】図４は、第１の実施の形態におけるハンドオーバ制御の流れを示すフロー図
【図５】図５は、第１の実施の形態における端末装置の制御部の動作の一例を示すフロー図
【図６】図６は、セルの周波数情報を含めた測定結果報告の一例を示す図
【図７】図７は、第１の実施の形態における測定結果削減部の動作の一例を示すフロー図
【図８】図８は、第２の実施の形態における端末装置の制御部の動作の一例を示すフロー図
【図９】図９は、セルの品質がRSRPで示された測定結果報告の一例を示す図
【図１０】図１０は、セルの品質がRSRQで示された測定結果報告の一例を示す図
【図１１】図１１は、第３の実施の形態における測定結果削減部の動作を示すフロー図
【図１２】図１２は、第４の実施の形態における測定結果削減部の動作を示すフロー図
【図１３】図１３は、第５の実施の形態における測定結果削減部の動作を示すフロー図
【図１４】図１４は、他の実施の形態における測定結果報告の送信の流れを示すフロー図
【図１５】図１５は、端末のアイドル状態からコネクテッド状態への移行を説明するためのシーケンス図
【図１６】図１６は、ハンドオーバの一例を示すシーケンス図
【図１７】図１７は、Measurementの設定の一例を示す図
【図１８】図１８は、MeasObjectの一例を示す図
【図１９】図１９は、measurement  reportの一例を示す図
【図２０】図２０は、バンドアグリゲーションの概要を示す図
【図２１】図２１は、第６の実施の形態における測定（Measurement）の設定の例を示す図
【図２２】図２２は、測定（Measurement）の設定の他の例を示す図
【図２３】図２３は、第１１の実施の形態におけるセルの選択方法の説明図
【図２４】図２４は、第１２の実施の形態における測定結果報告のフォーマットの例を示す図
【図２５】図２５は、測定結果報告のフォーマットの他の例を示す図
【図２６】図２６は、測定結果報告のフォーマットの他の例を示す図
【図２７】図２７は、測定結果報告のフォーマットの他の例を示す図
【図２８】図２８は、測定結果報告のフォーマットの他の例を示す図
【発明を実施するための形態】
【００２７】
以下に本発明の詳細な説明を述べる。ただし、以下の詳細な説明と添付の図面は発明を限定するものではない。代わりに、発明の範囲は添付の請求の範囲により規定される。
【００２８】
本発明の無線通信システムは、複数の周波数を利用して基地局装置と端末装置が通信可能な無線通信システムであって、端末装置は、基地局装置に設定された周波数におけるセルの電波状況の測定結果報告を通信中の基地局装置へ送信するためのイベントの発生を検知するイベント検知部と、イベントの発生に基づいて、イベントが発生した周波数と異なる他の周波数とにおけるセルの電波状況を示す情報を含んだ測定結果報告を作成する測定結果報告作成部と、を備え、基地局装置は、端末装置から送信された測定結果報告に基づいて、端末装置のセルへのハンドオーバを行うか否かを制御するハンドオーバ制御部を備えた構成を有している。
【００２９】
この構成により、端末装置が基地局装置に設定された周波数でイベントが発生すると、イベントが発生した周波数と異なる他の周波数とにおけるセルの電波状況を示す情報を含んだ測定結果報告が端末装置から基地局装置へ送信され、その測定結果報告に基づいて端末装置のハンドオーバを行うか否かが制御される。したがって、複数の周波数を利用して基地局装置と端末装置が通信可能な無線通信システムでも、基地局装置はその測定結果報告のみに基づいて端末装置のハンドオーバを行うか否かを素早く決定することができる。これにより、複数の周波数を利用して基地局装置と端末装置が通信可能な無線通信システムにおいてハンドオーバに要する時間が短縮される。
【００３０】
本発明の端末装置は、複数の周波数を利用して基地局装置と端末装置が通信可能な無線通信システムにおいて用いられる端末装置であって、端末装置は、基地局装置に設定された周波数におけるセルの電波状況の測定結果報告を通信中の基地局装置へ送信するためのイベントの発生を検知するイベント検知部と、イベントの発生に基づいて、イベントが発生した周波数と異なる他の周波数とにおけるセルの電波状況を示す情報を含んだ測定結果報告を作成する測定結果報告作成部と、を備え、基地局装置では、端末装置から送信された測定結果報告に基づいて、端末装置のセルへのハンドオーバを行うか否かが制御される構成を有している。
【００３１】
この構成によっても、上記と同様にして、複数の周波数を利用して基地局装置と端末装置が通信可能な無線通信システムでも、基地局装置はその測定結果報告のみに基づいて端末装置のハンドオーバを行うか否かを素早く決定することができる。これにより、複数の周波数を利用して基地局装置と端末装置が通信可能な無線通信システムにおいてハンドオーバに要する時間が短縮される。
【００３２】
本発明の基地局装置は、複数の周波数を利用して基地局装置と端末装置が通信可能な無線通信システムにおいて用いられる基地局装置であって、端末装置では、基地局装置に設定された周波数におけるセルの電波状況の測定結果報告を通信中の基地局装置へ送信するためのイベントの発生に基づいて、イベントが発生した周波数と異なる他の周波数とにおけるセルの電波状況を示す情報を含んだ測定結果報告が作成され、基地局装置は、端末装置から送信された測定結果報告に基づいて、端末装置のセルへのハンドオーバを行うか否かを制御するハンドオーバ制御部を備えた構成を有している。
【００３３】
この構成によっても、上記と同様にして、複数の周波数を利用して基地局装置と端末装置が通信可能な無線通信システムでも、基地局装置はその測定結果報告のみに基づいて端末装置のハンドオーバを行うか否かを素早く決定することができる。これにより、複数の周波数を利用して基地局装置と端末装置が通信可能な無線通信システムにおいてハンドオーバに要する時間が短縮される。
【００３４】
本発明の無線通信方法は、複数の周波数を利用して基地局装置と端末装置が通信可能な無線通信システムにおいて用いられる無線通信方法であって、端末装置において、基地局装置に設定された周波数におけるセルの電波状況の測定結果報告を通信中の基地局装置へ送信するためのイベントの発生を検知することと、端末装置において、イベントの発生に基づいて、イベントが発生した周波数と異なる他の周波数とにおけるセルの電波状況を示す情報を含んだ測定結果報告を作成することと、基地局装置において、端末装置から送信された測定結果報告に基づいて、端末装置のセルへのハンドオーバを行うか否かを制御することと、を含んでいる。
【００３５】
この方法によっても、上記と同様にして、複数の周波数を利用して基地局装置と端末装置が通信可能な無線通信システムでも、基地局装置はその測定結果報告のみに基づいて端末装置のハンドオーバを行うか否かを素早く決定することができる。これにより、複数の周波数を利用して基地局装置と端末装置が通信可能な無線通信システムにおいてハンドオーバに要する時間が短縮される。
【００３６】
本発明は、基地局装置との通信に使用している周波数と異なる他の周波数とにおけるセルの電波状況を示す情報を含んだ測定結果報告を作成する測定結果報告作成部を端末装置に設けることにより、複数の周波数を利用して基地局装置と端末装置が通信可能な無線通信システムにおいてハンドオーバに要する時間を短縮することができる。
【００３７】
以下、本発明の実施の形態の無線通信システムについて、図面を用いて説明する。以下の実施の形態では、３ＧＰＰで規格化されている移動通信技術であるLong  Term  Evolution（ＬＴＥ）やSystem  Architecture  Evolution（ＳＡＥ）等を用いた無線通信システムの場合を例示する。ただし、本発明の範囲はこれに限定されるものではない。つまり、本発明は、無線ＬＡＮ（Wireless  Local  Area  Network）、ＩＥＥＥ８０２．１６、ＩＥＥＥ８０２．１６ｅまたはＩＥＥＥ８０２．１６ｍ等のＷｉＭＡＸ（Worldwide  Interoperability  for  Microwave  Access）、３ＧＰＰ２、あるいは第四世代移動通信技術等の無線アクセス技術を用いた無線システムにも適用することができる。
【００３８】
また、以下の実施の形態では、基地局装置（単に基地局ともいう）と端末装置（単に端末ともいう）が、複数の周波数（例えば、２つの周波数ｆ１とｆ２）を利用して通信できる無線通信システムを例として説明する。この場合、１つの基地局装置によって、複数の周波数において、複数の通信セルが構成される。
【００３９】
図１は、このような本発明の実施の形態の無線通信システムにおける基地局装置と端末装置の位置関係の一例を示す図である。図１に示すように、無線通信システム１は、携帯電話機や携帯端末などの端末装置２（ＵＥ）と、この端末装置２と通信する基地局装置３（ｅＮＢ）で構成されている。基地局装置３は、複数の周波数において、複数のセル（例えば、周波数ｆ１に対応する３つの通信セルとｆ２に対応する３つの通信セル）を管理しており、端末装置２は、複数のセルのコンポーネントキャリアを同時に使用することができる。この複数のコンポーネントキャリアを同時に使用することをバンドアグリゲーションという。以下の実施の形態では、バンドアグリゲーションの一例として、二つのコンポーネントキャリア（キャリア周波数ｆ１とｆ２）を使用する場合について説明するが、本発明の範囲はこれに限定されるものではない。例えば、三つ以上のコンポーネントキャリアを使用してもよい。また、基地局装置３の通信セル内に存在する端末装置２は、バンドアグリゲーションをして二つのコンポーネントキャリアを使用するだけでなく、場合によっては（状況に応じて）一つのコンポーネントキャリアだけを使用してもよい。
【００４０】
（第１の実施の形態）
第１の実施の形態の無線通信システム１の構成を、図２および図３を参照して説明する。図２は、本実施の形態の端末装置２の構成を説明するためのブロック図であり、図３は、本実施の形態の基地局装置３の構成を説明するためのブロック図である。
【００４１】
本実施の形態の無線通信システム１において、端末装置２は、ダウンリンクを介して基地局装置３、あるいは、他の基地局装置３から送信された参照信号を受信し、受信信号の測定結果をアップリンクを介して基地局装置３に報告する機能を備えている。また、基地局装置３は、無線資源（例えば、周波数領域、時間領域での周波数帯域）の割り当て及び管理を行い、端末装置２から報告された参照信号の測定結果から、他のセル３へのハンドオーバが必要と判断する場合はハンドオーバ処理を行う機能を備えており、端末装置２のための無線アクセスネットワークのアクセスポイントの役割を有しているともいえる。
【００４２】
（端末装置）
まず、図２を参照して、本実施の形態の端末装置２の構成について説明する。図２に示すように、端末装置２は、受信部４、測定情報管理部５、制御部６、測定結果報告作成部７、送信部８を備えている。
【００４３】
受信部４は、制御部６から送られてくる指示に応じて、基地局装置３、あるいは、他の基地局装置３から送信されるシステム情報などを受信する機能を備えている。また、受信部４は、測定情報管理部５から送られてくる指示に応じて、基地局装置３、あるいは、他の基地局装置３から送信される参照信号を受信する機能を備えている。そして、受信部４は、システム情報などの制御情報を制御部６に出力し、参照信号を測定情報管理部５へ出力するように構成されている。
【００４４】
測定情報管理部５は、制御部６から入力される測定結果の出力指示（例えば、周期的な測定結果の出力指示、イベント発生時の測定結果の出力指示、イベント発生後の周期的な測定結果の出力指示、特定の周波数の測定結果の出力指示、特定のセルの測定結果の出力指示）などの制御部６からの指示を個々に管理する機能を備えている。そして、測定情報管理部は、制御部６からの指示に応じて、参照信号の受信指示を受信部４へ出力する。また、測定情報管理部５は、制御部６からの指示に該当する場合、その指示に応じた測定結果を制御部６へ出力するように構成されている。この測定情報管理部５は、イベントの発生を検知する機能を備えており、本発明のイベント検知手段に相当する。
【００４５】
制御部６は、受信部４から送られてきた制御情報、あるいは事前に組み込まれた制御情報に基づいて、測定設定を行う機能を備えている。そして、この制御部６は、その測定設定に基づいて、測定情報管理部５に測定結果の出力指示を行う機能を備えている。また、制御部６は、一方のコンポーネントキャリアのキャリア周波数の測定結果だけで測定結果報告を作成するか、一方のコンポーネントキャリアのキャリア周波数の測定結果に他方のキャリア周波数の測定結果を加えて測定結果報告を作成するかを判定する機能を備えている。つまり、この制御部６は、本発明の判定手段に相当する。
【００４６】
測定結果報告作成部７は、制御部６から入力された情報から測定結果報告を作成する機能を備えている。この測定結果報告作成部７は、制御部６から入力された測定結果から測定結果報告に含めるセルを選定する測定結果削減部９を備えており、測定結果報告作成部７は、この測定結果削減部９で選定されたセルの測定結果に基づいて測定結果報告を作成し、作成した測定結果報告を送信部８へ送るように構成されている。ここでは、この測定結果報告作成部７が、本発明の測定結果報告作成手段に相当する。送信部８は、入力された情報を基地局装置３に送信する機能を備えている。
【００４７】
（基地局装置）
つぎに、図３を参照して、本実施の形態の基地局装置３の構成について説明する。図３に示すように、基地局装置３は、受信部１０、測定情報管理部１１、ハンドオーバ判定処理部１２、制御部１３、送信部１４を備えており、ハンドオーバ判定処理部１２は、バンドアグリゲーション用判定処理部１５と通常判定処理部１６を備えている。
【００４８】
受信部１０は、端末装置２から受信した測定結果報告を測定情報管理部１１に出力する機能を備えている。
【００４９】
測定情報管理部１１は、制御部１３から端末装置２がバンドアグリゲーション使用中であることを通知されると、測定結果報告をバンドアグリゲーション用判定処理部１５に出力するように構成されている。また、制御部１３から何も通知されない、あるいは、端末装置２が一つのコンポーネントキャリアだけを使用していると通知されると、測定情報管理部１１は、測定結果報告を通常判定処理部１６に出力するように構成されている。
【００５０】
ハンドオーバ判定処理部１２の通常判定処理部１６は、測定情報管理部１１から入力された測定結果報告と制御部１３から入力された情報に基づいて、端末装置２のハンドオーバを行うか否かを判定する機能を備えている。一方、ハンドオーバ判定処理部１２のバンドアグリゲーション用判定処理部１５は、測定情報管理部１１から入力された測定結果報告と制御部１３から入力された情報に基づいて、端末装置２のハンドオーバを行うか否かを判定する機能を備えている。このハンドオーバ判定処理部１２が、本発明のハンドオーバ制御手段に相当する。
【００５１】
制御部１３は、測定設定を端末装置２に伝えるための制御情報や参照信号のスケジュール情報を送信部１４に出力する。また、制御部１３は、端末装置２がバンドアグリゲーションをしている場合、測定情報管理部１１に端末装置２がバンドアグリゲーションをしていることを通知する機能を備えている。なお、この制御部１３は、端末装置２が一つのコンポーネントキャリアだけを使用している場合、測定情報管理部１１に端末装置２が一つのコンポーネントキャリアだけを使用していることを通知してもよい。送信部１４は、スケジュール情報に基づいて参照信号や制御情報などを端末装置２に送る機能を備えている。
【００５２】
以上のように構成された無線通信システム１について、図面を参照してその動作を説明する。ここでは、本発明の特徴的な動作であるハンドオーバの制御を中心に説明する。
【００５３】
（システム全体の動作）
まず、第１の実施の形態における無線通信システム１のシステム全体の動作を、図４を参照して説明する。図４は、本実施の形態の無線通信システム１においてハンドオーバ制御が行われるときの動作の流れを示すフロー図である。図４に示すように、まず、基地局装置３は、制御情報を端末装置２に送り（Ｓ１００）、端末装置２はその制御情報に基づいて参照信号の測定を行う（Ｓ１０１）。端末装置２は、測定結果が制御情報で決められた基地局装置３への報告基準を満足した場合には（Ｓ１０２）、端末装置２がバンドアグリゲーションをしているか否かを判定する（Ｓ１０３）。端末装置２が一つのコンポーネントキャリアのみを使用している場合（バンドアグリゲーションをしていない場合）、端末装置２は、測定結果から測定結果報告を作成して基地局装置３に送信する（Ｓ１０４）。一方、端末装置２がバンドアグリゲーションをしている場合（端末装置２が複数のコンポーネントキャリアを使用している場合）には、端末装置２は、測定結果からバンドアグリゲーション用の測定結果報告を作成して基地局装置３に送信する（Ｓ１０５）。基地局装置３は、端末装置２から送られてきた測定結果報告からハンドオーバするか否かを判定する（Ｓ１０６）。
【００５４】
（端末装置の制御部の動作）
つぎに、第１の実施の形態における端末装置２の制御部６の動作を、図５を参照して説明する。図５は、端末装置２で測定結果報告のイベントが発生し、測定情報管理部５から測定結果が出力されたときの制御部６の動作の一例を示すフロー図である。図５に示すように、制御部６は、測定情報管理部５から測定結果が入力されると（Ｓ１１０）、端末装置２がバンドアグリゲーションをしているか否かの判定を行う（Ｓ１１１）。制御部６は、端末装置２がバンドアグリゲーションをしていない場合、すなわち、一つのコンポーネントキャリアだけを使用している場合、測定結果報告作成部７に測定結果を出力する（Ｓ１１２）。
【００５５】
制御部６は、端末装置２がバンドアグリゲーションをしている場合、すなわち、二つのコンポーネントキャリアを使用している場合、一方のコンポーネントキャリアのキャリア周波数の測定結果だけで測定結果報告を作成するか、一方のコンポーネントキャリアのキャリア周波数の測定結果に他方のキャリア周波数の測定結果を加えて測定結果報告を作成するかを判定する（Ｓ１１３）。このときの判定基準は、基地局装置３から端末装置２に送ってもよいし、基地局装置３から送られてくる制御情報に含まれているものを使用してもよい。また、判定基準は、端末装置２に予め設定されていてもよいし、端末装置２が状況に応じて生成してもよい。
【００５６】
ここで、この判定（Ｓ１１３）について、具体例を挙げてさらに詳しく説明する。例えば、バンドアグリゲーションに使用しているコンポーネントキャリアが８００ＭＨｚ帯域だけの場合（あるいは、バンドアグリゲーションに使用しているコンポーネントキャリアが２ＧＨｚだけの場合）など、一つの帯域内に閉じてバンドアグリゲーションをしている場合には、一方のコンポーネントキャリアのキャリア周波数の測定結果だけで測定結果報告を作成すると判定する。一方、バンドアグリゲーションに使用しているコンポーネントキャリアが８００ＭＨｚ帯域と２ＧＨｚ帯域に分かれている場合は、一方のキャリア周波数の測定結果に他方のキャリア周波数の測定結果に加えて測定結果報告を作成すると判定する。
【００５７】
また、他の例として、例えば、バンドアグリゲーションに使用しているコンポーネントキャリアが隣接するキャリア周波数の場合は、一方のコンポーネントキャリアのキャリア周波数の測定結果だけで測定結果報告を作成すると判定する。一方、バンドアグリゲーションに使用しているコンポーネントキャリアが隣接していない場合は、一方のキャリア周波数の測定結果に他方のキャリア周波数の測定結果を加えて測定結果報告を作成すると判定する。
【００５８】
また、さらに他の例として、例えば、バンドアグリゲーションに使用しているコンポーネントキャリアのキャリア周波数の差がｘＭＨｚ（例えばｘ＝２０）以内の場合は、一方のコンポーネントキャリアのキャリア周波数の測定結果だけで測定結果報告を作成すると判定する。一方、バンドアグリゲーションに使用しているコンポーネントキャリアのキャリア周波数の差がｘＭＨｚ（例えばｘ＝２０）より大きい場合は、一方のキャリア周波数の測定結果に他方のキャリア周波数の測定結果を加えて測定結果報告を作成すると判定する。
【００５９】
また、さらに他の例として、例えば、一方のキャリア周波数の測定結果の中のs-measure（測定を開始する基準となる閾値）よりもｘｄＢ（例えばｘ＝１０）下の値を基準として、それ以上の品質を持つ隣接セルが含まれている場合は、一方のコンポーネントキャリアのキャリア周波数の測定結果だけで測定結果報告を作成すると判定する。この基準を満たすセルがない場合は、一方のキャリア周波数の測定結果に他方のキャリア周波数の測定結果を加えて測定結果報告を作成すると判定する。なお、ｘは負の値でも構わない。
【００６０】
また、さらに他の例として、例えば、一方のキャリア周波数の測定結果がｘｄＢ（例えばｘ＝−１０）を基準として、それ以上の品質を持つ隣接セルが含まれている場合は、一方のコンポーネントキャリアのキャリア周波数の測定結果だけで測定結果報告を作成すると判定する。この基準を満たすセルがない場合は、一方のキャリア周波数の測定結果に他方のキャリア周波数の測定結果を加えて測定結果報告を作成すると判定する。
【００６１】
また、さらに他の例として、たとえば、一方のキャリア周波数の測定結果がハンドオーバを判断できるコンポーネントキャリア（たとえば、アンカーキャリア、あるいは、端末が使用しているコンポーネントキャリアの中で受信品質の一番良いコンポーネントキャリアなど）の測定結果を含んでいる場合は、一方のコンポーネントキャリアのキャリア周波数の測定結果だけで測定結果報告を作成すると判定する。一方のキャリア周波数の測定結果がハンドオーバを判断できるコンポーネントキャリア（たとえば、アンカーキャリア、あるいは、端末が使用しているコンポーネントキャリアの中で受信品質の一番良いコンポーネントキャリアなど）の測定結果を含んでいない場合、ハンドオーバを判断できるコンポーネントキャリア（たとえば、アンカーキャリア、あるいは、端末が使用しているコンポーネントキャリアの中で受信品質の一番良いコンポーネントキャリアなど）の測定結果を含んだ測定結果報告を作成すると判定する。
【００６２】
制御部６は、この判定（Ｓ１１３）の結果、一方のコンポーネントキャリアのキャリア周波数の測定結果のみで測定結果報告を作成すると判定された場合には、その測定結果を測定結果報告作成部７に出力する（Ｓ１１４）。一方、制御部６は、この判定（Ｓ１１３）の結果、一方のコンポーネントキャリアのキャリア周波数の測定結果に他方のキャリア周波数の測定結果を加えて測定結果報告を作成すると判定された場合には、他方のキャリア周波数の測定結果を出力するように情報管理部に指示をする（Ｓ１１５）。
【００６３】
ここで、測定結果報告に含められる他方のキャリア周波数の測定結果の判断基準について、具体例を挙げてさらに詳しく説明する。例えば、端末装置２がキャリア周波数ｆ１とキャリア周波数ｆ２を使用してバンドアグリゲーションをしている場合、キャリア周波数ｆ１において、測定結果報告を作成するトリガー（イベント）が発生したとする。このとき、キャリア周波数ｆ１、キャリア周波数ｆ２に関係なく、キャリア周波数ｆ１とキャリア周波数ｆ２のセルの中から、品質の最も良いものから順に何個か（例えば、５個）のセルを選択し、測定結果とする。
【００６４】
このとき、測定結果に含まれるセル識別子（Physical  Cell  Identity、ＰＣＩ）は、周波数内で閉じて隣接セルが同じ識別子を持たないように割り振られるため、周波数が変わると、隣接セルでも同じ識別子を持つことがある。そこで、測定結果報告を作成する際に、どの周波数のセルか判るように区切りを入れて、測定結果報告作成部７において測定結果報告を作成する。
【００６５】
図６は、セルの周波数情報を含めた測定結果報告の一例を示す図である。図６の例では、サービングセルのRSRQの情報の後、隣接セルの情報を入れる前に、隣接セルのキャリア周波数（Carrier  Frequency）の情報が入れられており、測定結果報告に含めるそのキャリア周波数の隣接セル情報の数が示されている。これにより、基地局装置３は、どの周波数のセルの情報かを判断することができる。
【００６６】
また、他の例として、測定結果に入れる他方のキャリア周波数のセル数（例えば、２個）を決めておき、その数だけセルを入れるようにしてもよい。また、さらに他の例として、絶対値または相対値のスレッショルド（閾値）を決めておき、他方のキャリア周波数のセルでその値を越えるものを測定結果に入れる（例えば、他方のキャリア周波数のセルの中で−３０ｄＢｍを越えるものを測定結果に入れる）ようにしてもよい。また、さらに他の例として、キャリア周波数毎にオフセットをつけておき、そのオフセットを加味して品質の最もよいものから順に何個かのセルを選択し、測定結果に入れてもよい。
【００６７】
また、さらに他の例として、端末が、ｆ１とｆ２のキャリア周波数を使用してバンドアグリゲーションをしているときに、ｆ１とバンドアグリゲーションに使用していないキャリア周波数ｆ３のセルの品質を比較して、イベント判定する指示が基地局からされている。このとき、イベント判定の結果、測定結果報告を送る基準を満たす場合、ｆ３でイベントの基準を満たすセルと、ｆ１のサービングセルと、イベント判定を行っていないバンドアグリゲーションに使用中のｆ２において品質がよいと考えられるセルをy個（例えば、ｙ＝１）と、を選択し測定結果に含めても良い。
【００６８】
また、さらに他の例として、端末がｆ１とｆ２のキャリア周波数を使用してバンドアグリゲーションをしているときに、ｆ１において、イベント判定の結果、測定結果報告を送る基準を満たす場合、端末が使用しているコンポーネントキャリアでハンドオーバを判断できるコンポーネントキャリア（たとえば、アンカーキャリア、あるいは、端末が使用しているコンポーネントキャリアの中で受信品質の一番良いコンポーネントキャリアなど）を選択し、測定結果に入れてもよい。例えば、サービングセルをｆ１に設定したイベントがｆ１のキャリア周波数において判定されたとき、ハンドオーバを判断できるコンポーネントキャリアがｆ２であった場合、端末が使用しているコンポーネントキャリアのうち、ｆ２のコンポーネントキャリアの受信品質を測定結果報告（Measurement  Report）に含める。このようにすることで、基地局は、ハンドオーバを判断できる情報をいち早く手に入れることができるため、ハンドオーバの手順を早く開始することができる。一番良いコンポーネントキャリアの受信品質をいれることにより、基地局は、端末がそのコンポーネントキャリアのセットを使用しつづけるほうがよいかどうかを判断しやすくなる。
【００６９】
なお、周波数間でカバレッジが異なる場合、干渉量が異なる場合に、効果は高くなる。なお、端末は、基地局から何も通知がない場合にも測定結果報告にハンドオーバを判断できるコンポーネントキャリア（アンカーキャリア、あるいは、端末が使用しているコンポーネントキャリアの中で受信品質の一番良いコンポーネントキャリアなど）の受信品質を含めてもよい。
【００７０】
なお、端末は、基地局から通知がある場合にのみ、測定結果報告にハンドオーバを判断できるコンポーネントキャリア（アンカーキャリア、あるいは、端末が使用しているコンポーネントキャリアの中で受信品質の一番良いコンポーネントキャリアなど）の受信品質を含めてもよい。
【００７１】
制御部６は、測定情報管理部５から、他方のキャリア周波数の測定結果が入力されると、一方のコンポーネントキャリアのキャリア周波数の測定結果と他方のキャリア周波数の測定結果を測定結果削減部９に出力する。なお、このときに、他方のキャリア周波数の測定結果を含んでいるということを測定結果削減部９に出力しても良い。
【００７２】
また、この制御部６は、測定結果からセルを削除するために必要な情報が基地局装置３から送られてきた場合、測定結果削減部９にその情報をそのまま入力する。例えば、ハンドオーバを決めるときのポリシー、あるいは、s-measureを決めるときのポリシー（以下、単に「ポリシー」ともいう）が制御情報として基地局装置３から送られてきた場合、そのポリシーを測定結果削減部９に入力する。また、基地局装置３がポリシーから判定基準を作成し、端末装置２にその判定基準を制御情報として送られてきた場合、その判定基準を測定結果削減部９に入力する。
【００７３】
（端末装置の測定結果削減部の動作）
つぎに、第１の実施の形態における端末装置２の測定結果削減部９の動作を、図７を参照して説明する。図７は、測定結果削減部９の動作の一例を示すフロー図である。図７に示すように、測定結果削減部９は、制御部６から測定結果が入力されると（Ｓ１２０）、ポリシーから作成した判定基準に基づいて測定結果からセルを削除する（Ｓ１２１）。この判定基準は、制御部６から判定基準そのものが入力されてもよく、判定基準そのものが測定結果削減部９に予め保持されていてもよい。また、この判定基準は、制御部６から入力されるポリシーから生成されてもよく、測定結果削減部９に予め保持されているポリシーから生成されてもよい。測定結果削減部９は、このような判定基準に基づいて、測定結果報告に含めるセルを選定する。
【００７４】
ここで、ポリシーから生成される判定基準に基づくセルの選定について、具体例を挙げてより詳細に説明する。ポリシーから生成する判定基準は、ハンドオーバに使用する確率が高いセルを選定するものである。例えば、キャリア周波数ｆ１とキャリア周波数ｆ２を使用している場合において、キャリア周波数ｆ１のセル数が８個、キャリア周波数ｆ２のセル数が２個の場合、すなわち、キャリア周波数ｆ１のセル数とキャリア周波数ｆ２のセル数の差が多い場合、キャリア周波数ｆ１のセルから品質の悪いものから順に３個減らし、測定結果内のセル数を減らす。また、例えば、キャリア周波数ｆ１のセルとキャリア周波数ｆ２のセルの中から、測定結果に合計５個のセルを含めるように品質の良いセルから順に５個のセルを選択し、測定結果に入れる。
【００７５】
そして、測定結果削減部９は、セルを選定した測定結果を測定結果報告作成部７に出力する（Ｓ１２２）。ポリシーは、ハンドオーバで選択されるセルを限定するためのものであるため、このポリシーを使って端末装置２が選択するセルを絞り込むことで、ハンドオーバに不必要なセルを測定結果報告から減らすことができ、測定結果報告のサイズを小さくできる。
【００７６】
このような本発明の第１の実施の形態の無線通信システム１によれば、測定結果を送るイベントが発生した周波数のセルと、その周波数とは異なる周波数におけるセルの電波状況を示す情報を含んだ測定結果報告を作成する測定結果報告作成部７を端末装置２に設けることにより、複数の周波数を利用して基地局装置３と端末装置２が通信可能な無線通信システム１においてハンドオーバに要する時間を短縮することができる。
【００７７】
本実施の形態の無線通信システム１は、複数の周波数を利用して基地局装置３と端末装置２が通信可能な無線通信システム１であって、端末装置２は、基地局装置３に設定された周波数におけるセルの電波状況の測定結果報告を通信中の基地局装置３へ送信するためのイベントの発生を検知する測定情報管理部５と、イベントの発生に基づいて、イベントが発生した周波数のセルと異なる他の周波数とにおけるセルの電波状況を示す情報を含んだ測定結果報告を作成する測定結果報告作成部７と、を備え、基地局装置３は、端末装置２から送信された測定結果報告に基づいて、端末装置２の他のセルへのハンドオーバを行うか否かを制御するハンドオーバ判定処理部１２を備えた構成を有している。
【００７８】
この構成により、端末装置２が基地局装置３に設定された周波数でイベントが発生すると、イベントが発生した周波数と、異なる他の周波数とにおけるセルの電波状況を示す情報を含んだ測定結果報告が端末装置２から基地局装置３へ送信され、その測定結果報告に基づいて端末装置２のハンドオーバを行うか否かが制御される。したがって、複数の周波数を利用して基地局装置３と端末装置２が通信可能な無線通信システム１でも、基地局装置３はその測定結果報告のみに基づいて端末装置２のハンドオーバを行うか否かを素早く決定することができる。これにより、複数の周波数を利用して基地局装置３と端末装置２が通信可能な無線通信システム１においてハンドオーバに要する時間が短縮される。
【００７９】
また、本実施の形態の無線通信システム１では、測定結果報告作成部７は、イベントが発生した周波数におけるセルの電波状況を示す情報と他の周波数におけるセルの電波状況を示す情報として、イベントが発生した周波数におけるセルの電波状況の測定結果報告の一部と他の周波数におけるセルの電波状況の測定結果報告の一部を選択する構成を有している。
【００８０】
この構成により、イベントが発生した周波数におけるセルの電波状況を示す情報と他の周波数におけるセルの電波状況を示す情報として、イベントが発生した周波数におけるセルの電波状況の測定結果報告の一部と他の周波数におけるセルの電波状況の測定結果報告の一部が選択される。したがって、イベントが発生した周波数におけるセルと他の周波数におけるセルの電波状況の測定結果報告の全部を含める場合に比べて、端末装置２から基地局装置３へ送信する測定結果報告のデータサイズを小さくすることができ、トラフィック量を少なくすることが可能になる。
【００８１】
ところで、従来からＵＭＴＳ（Universal  Mobile  Telecommunication  System）で用いられているAdditional  measurement  identitiesを導入して、Measurement  Reportに他の周波数の測定結果を含めることも考えられる。このＵＭＴＳでは、measurementを設定するときに、Additional  measurement  identitiesという設定項目がある。Additional  measurement  identitiesは、他のmeasurementの参照リストを示しており、このmeasurementがMeasurement  Reportを送る際には、参照されたmeasurementのreporting  quantity（測定結果）も含めることができる。しかしながら、このAdditional  measurement  identitiesを単に導入しただけでは、独立したmeasurement設定に対する複数のmeasurement結果がMeasurement  Reportに含まれることになるので、Measurement  Reportのサイズが大きくなり、トラフィック量が多くなってしまう。このような方法に比べると、本実施の形態の無線通信システム１では、端末装置２から基地局装置３へ送信する測定結果報告のデータサイズを小さくすることができ、トラフィック量を少なくすることが可能になる。
【００８２】
また、本実施の形態の無線通信システム１では、端末装置２は、イベントが発生した周波数と異なる他の周波数とにおけるセルの電波状況を示す情報を含んだ測定結果報告を作成するべきか否かを判定する制御部６を備えた構成を有している。
【００８３】
この構成により、イベントが発生した周波数と異なる他の周波数とにおけるセルの電波状況を示す情報を含んだ測定結果報告を作成すべきであると判定されなかったときには、イベントが発生した周波数におけるセルの電波状況の測定結果報告のみが基地局装置３へ送信される。これにより、他の周波数におけるセルの電波状況を示す情報が不要であると判定された場合には、必要な情報のみが送信される。したがって、端末装置２から基地局装置３へ送信する測定結果報告のデータサイズを小さくすることができ、トラフィック量を少なくすることが可能になる。
【００８４】
また、本実施の形態の無線通信システム１では、端末装置２には、複数の他のセルのうちハンドオーバを行う候補として選択されるセルを決定するためのポリシーが設定されており、測定結果報告作成部７は、イベントが発生した周波数と他の周波数とにおけるセルの電波状況を示す情報として、複数の他のセルの測定結果報告のうちポリシーに基づいて候補として選択されたセルの測定結果報告を選択する構成を有している。
【００８５】
この構成により、端末装置２に設定されたハンドオーバのポリシー基づいて、複数の他のセルのうちハンドオーバを行う候補として選択されたセルの測定結果報告が、複数の他のセルの電波状況を示す情報として選択される。したがって、複数の他のセルの電波状況の測定結果報告をすべて含める場合に比べて、端末装置２から基地局装置３へ送信する測定結果報告のデータサイズを小さくすることができ、トラフィック量を少なくすることが可能になる。なお、ポリシーは、端末装置２に予め設定されていてもよく、基地局装置３から受信することにより端末装置２に設定されてもよい。
【００８６】
（第２の実施の形態）
次に、本発明の第２の実施の形態の無線通信システム１について説明する。ここでは、本実施の形態の無線通信システム１が、第１の実施の形態と相違する点を中心に説明する。したがって、ここで特に言及しない限り、本実施の形態の構成および動作は、第１の実施の形態と同様である。
【００８７】
本実施の形態では、端末装置２で測定結果報告のイベントが発生し、測定情報管理部５から測定結果が出力されたときに制御部６の動作が、第１の実施の形態と異なる。したがって、ここでは、第２の実施の形態における端末装置２の制御部６の動作を、図面を参照して説明する。
【００８８】
図８は、端末装置２で測定結果報告のイベントが発生し、測定情報管理部５から測定結果が出力されたときの制御部６の動作の一例を示すフロー図である。図８に示すように、制御部６は、測定情報管理部５から測定結果が入力されると（Ｓ２００）、端末装置２がバンドアグリゲーションをしているか否かの判定を行う（Ｓ２０１）。制御部６は、端末装置２がバンドアグリゲーションをしていない場合、すなわち、一つのコンポーネントキャリアだけを使用している場合、測定結果報告作成部７に測定結果を出力する（Ｓ２０２）。
【００８９】
制御部６は、端末装置２がバンドアグリゲーションをしている場合、すなわち、二つのコンポーネントキャリアを使用している場合、一方のコンポーネントキャリアのキャリア周波数の測定結果だけで測定結果報告を作成するか、一方のコンポーネントキャリアのキャリア周波数の測定結果に他方のキャリア周波数の測定結果を加えて測定結果報告を作成するかを判定する（Ｓ２０３）。この判定の仕方や判定基準は、第１の実施の形態と同様である。
【００９０】
制御部６は、この判定の結果、一方のコンポーネントキャリアのキャリア周波数の測定結果だけで測定結果報告を作成すると判定された場合には、セルの品質がRSRPで示された測定結果を基地局装置３に送り、他方のキャリア周波数の測定結果を含めて測定結果報告を作成すると判定された場合には、セルの品質がRSRQで示された測定結果を基地局装置３に送るように制御を行う。この場合、測定結果報告作成部７は、一方のコンポーネントキャリアのキャリア周波数の測定結果だけで測定結果報告を作成すると判定された場合には、セルの品質がRSRPで示された測定結果を作成し、他方のキャリア周波数の測定結果を含めて測定結果報告を作成すると判定された場合には、セルの品質がRSRQで示された測定結果を作成するように制御されるともいえる。
【００９１】
ここで、セルの品質がRSRPで示された測定結果報告と、セルの品質がRSRPで示された測定結果報告の具体例を図示する。図９は、セルの品質がRSRPで示された測定結果報告の一例を示す図である。図９に示すように、この測定結果報告には、セルの品質を示すRSRPの情報が含まれており、RSRQの情報は含まれていない。図１０は、セルの品質がRSRQで示された測定結果報告の一例を示す図である。図１０に示すように、この測定結果報告には、セルの品質を示すRSRQの情報が含まれており、RSRPの情報は含まれていない。このようにセルの品質を示す情報を入れた測定結果報告が作成される。基地局装置３は、測定結果報告の内容を理解できるようにするために、測定結果報告のフォーマットを変えることはできないが、このようにセルの品質を示すのに用いる情報をRSRPとRSRQとで異ならせることにより、他の周波数における状況を（測定結果報告のフォーマットを変えずに）基地局装置３に伝えることができる。
【００９２】
制御部６は、上記の判定（Ｓ２０３）の結果、一方のコンポーネントキャリアのキャリア周波数の測定結果だけで測定結果報告を作成すると判定された場合には、セルの品質がRSRPで記載されているかを確認する（Ｓ２０４）。測定結果のセルの品質がRSRPで記載されていない場合には、測定情報管理部５にセルの品質をRSRPで示した測定結果を出力するように指示し、セルの品質がRSRPで記載された測定結果を取得する（Ｓ２０５）。そして、制御部６は、セルの品質がRSRPで記載された測定結果を測定結果報告作成部７に出力する（Ｓ２０６）。一方、測定結果のセルの品質がRSRPで記載されていた場合には、その測定結果を測定結果報告作成部７に出力する（Ｓ２０６）。なお、制御部６は、このとき一方のコンポーネントキャリアのキャリア周波数の測定結果あることを測定結果報告作成部７に出力してもよい。
【００９３】
一方、制御部６は、上記の判定（Ｓ２０３）の結果、他方のキャリア周波数の測定結果を測定結果報告に含めると判定された場合には、測定情報管理部５に、一方のコンポーネントキャリアのキャリア周波数の測定結果と他方のキャリア周波数の測定結果をセルの品質をRSRQとして出力するように指示を出し、セルの品質がRSRQで記載された測定結果を取得する（Ｓ２０７）。そして、制御部６は、測定情報管理部５から、各キャリア周波数の測定結果が入力されると、入力された測定結果を測定結果削減部９に出力する（Ｓ２０８）。なお、制御部６は、このとき各キャリア周波数の測定結果であることを測定結果削減部９に出力してもよい。
【００９４】
また、本実施の形態では、上記のような測定結果報告を端末装置２から受信したときの基地局装置３のハンドオーバ判定処理部１２の動作が、第１の実施の形態と異なる。
【００９５】
ハンドオーバ判定処理部１２のバンドアグリゲーション用判定処理部１５は、入力された測定結果報告がセルの品質をRSRPとして記載されている場合、その測定結果を基準にして、他のセルに、端末装置２が使用しているキャリア周波数と同じ周波数を使用するハンドオーバ（Intra-frequency  Handover）をするか否かを判定する。入力された測定結果報告がセルの品質をRSRQで記載されている場合、一つの基地局装置３が管理しているセルの中から適切なセルを選択し、バンドアグリゲーションをしながら、端末装置２が使用しているキャリア周波数と同じ周波数を使用するハンドオーバ（Intra-frequency  Handover）、あるいは、端末装置２が使用しているキャリア周波数とは一部または全部が異なるキャリア周波数を使用するハンドオーバ（Inter-frequency  Handover）をするか否かを判定する。なお、このバンドアグリゲーション用処理部は、バンドアグリゲーションを終了して、他の基地局装置３にハンドオーバすると判定してもよい。
【００９６】
このような第２の実施の形態の無線通信システム１によっても、第１の実施の形態と同様の作用効果が奏される。
【００９７】
また、本実施の形態の無線通信システム１では、測定結果報告作成部７は、イベントが発生した周波数と他の周波数との両方の測定結果報告に基づいてハンドオーバの制御をすべき場合には、それらの周波数のセルからの電波の受信品質（RSRQ）の情報を含んだ測定結果報告を作成し、イベントが発生した周波数のみに基づいてハンドオーバの制御をすべき場合には、その周波数のセルからの電波の受信電力（RSRP）の情報を含んだ測定結果報告を作成する構成を有している。
【００９８】
この構成により、基地局装置３は、端末装置２から受信した測定結果報告に受信品質の情報が含まれていた場合には、その端末装置２においてイベントが発生した周波数と他の周波数との両方の測定結果報告に基づいてハンドオーバの制御を行い、端末装置２から受信した測定結果報告に受信電力の情報が含まれていた場合には、その端末装置２においてイベントが発生した周波数の測定結果報告のみに基づいてハンドオーバの制御を行う。これにより、基地局装置３は、測定結果報告に受信品質と受信電力のどちらの情報が含まれているかに基づいて、どの周波数の測定結果報告に基づいて端末装置２のハンドオーバを制御すべきかを素早く決定することができる。これにより、複数の周波数を利用して基地局装置３と端末装置２が通信可能な無線通信システム１においてハンドオーバに要する時間が短縮される。
【００９９】
このように本実施の形態では、一つのコンポーネントキャリアのキャリア周波数の測定結果か、他方のキャリア周波数の測定結果を含んでいるかを示す情報が、端末装置２から送信される測定結果報告に含まれているので、基地局装置３におけるハンドオーバの判断が容易になる。
【０１００】
つまり、本実施の形態では、基地局装置３がハンドオーバに必要な情報を、端末装置２がバンドアグリゲーションを行う際に一つの測定結果報告に入れることができるため、基地局装置３はハンドオーバを早く決めることができる。一つのコンポーネントキャリアのキャリア周波数を基準としたセルだけを含む測定結果から測定結果報告を作成する場合、基地局装置３は、干渉電力を考慮しないRSRPのみでハンドオーバを判断することができ、一方、他のキャリア周波数の測定結果を含んだ測定結果報告を作成する場合、基地局装置３は干渉電力を考慮したRSRQでハンドオーバを判断することができる。
【０１０１】
また、この場合、RSRPとRSRQは、送るのにかかるビット数が異なるが、RSRQのほうが少ないビット数ですむ。したがって、他のキャリア周波数の測定結果を測定結果報告に入れて、測定結果報告の中に含まれるセルの数が多くなるような場合であっても、測定結果報告のサイズを小さくすることができる。
【０１０２】
（第３の実施の形態）
次に、本発明の第３の実施の形態の無線通信システム１について説明する。ここでは、本実施の形態の無線通信システム１が、第１の実施の形態と相違する点を中心に説明する。したがって、ここで特に言及しない限り、本実施の形態の構成および動作は、第１の実施の形態と同様である。
【０１０３】
本実施の形態では、測定結果報告を作成するときの測定結果削減部９の動作が、第１の実施の形態と異なる。したがって、ここでは、第３の実施の形態における端末装置２の測定結果削減部９の動作を、図面を参照して説明する。
【０１０４】
図１１は、第３の実施の形態の測定結果削減部９の動作を示すフロー図である。図１１に示すように、まず、測定結果削減部９には、各コンポーネントキャリアのキャリア周波数を使用するセルで構成される測定結果が入力される（Ｓ３００）。ここでは、キャリア周波数ｆ１を使用するセルで構成される測定結果と、キャリア周波数ｆ２を使用するセルで構成される測定結果が入力されると仮定する。また、このとき、測定結果報告を基地局装置３に送るイベントがキャリア周波数ｆ１を使用しているサービングセルで発生したと仮定する。そして、測定結果削減部９は、測定結果がキャリア周波数ｆ１を使用しているセルで構成されているか、測定結果がキャリア周波数ｆ２を使用しているセルで構成されているかの判断を開始する（Ｓ３０１）。
【０１０５】
イベントが発生したキャリア周波数ｆ１を使用するセルで構成されている測定結果であると判断された場合には（Ｓ３０２）、セルの品質がキャリア周波数ｆ１のサービングセルの品質よりもある値（ｘｄＢ、例えばｘ＝３０）以上悪いかどうかを判断し（Ｓ３０３）、品質が悪いと判断されたセルを測定結果報告から削除し（Ｓ３０４）、そうでないセルは測定結果報告に入れると判断する（Ｓ３０５）。
【０１０６】
一方、イベントが発生していないキャリア周波数ｆ２を使用するセルで構成される測定結果であると判断された場合には（Ｓ３０２）、セルの品質がキャリア周波数ｆ１の品質よりもある値（ｙｄＢ、例えばｙ＝４０）以上悪いかどうかを判断し（Ｓ３０６）、品質が悪いと判断されたセルを測定結果報告から削除し（Ｓ３０４）、そうでないセルは測定結果報告に入れると判断する（Ｓ３０５）。
【０１０７】
以上のようにして、測定結果報告から削除するセルと測定結果報告に入れるセルとを判断した結果から、測定結果を変更し（Ｓ３０７）、不必要なセルを削除した測定結果を測定結果報告作成部７に出力する（Ｓ３０８）。
【０１０８】
このように測定結果削減部９において、イベントが発生したキャリア周波数のサービングセルの品質を基準にして、測定結果報告に含めるセルを選定することにより、イベントが発生しているキャリア周波数とイベントが発生していないキャリア周波数を使用するセルとを同じ基準を用いて選定することができる。
【０１０９】
また、測定結果報告にセルを含めるかを判断するサービングセルとの品質差をイベントが発生したキャリア周波数とイベントが発生していないキャリア周波数で変えることにより、測定結果報告に含めるセルの優先度をつけることができる。このとき、サービングセルとの品質差をイベントが発生したキャリア周波数とイベントが発生していないキャリア周波数で変えずに等しくすることも可能である。
【０１１０】
このような第３の実施の形態の無線通信システム１によっても、第１の実施の形態と同様の作用効果が奏される。
【０１１１】
また、本実施の形態の無線通信システム１では、測定結果報告作成部７は、イベントが発生した周波数において設定された所定の基準品質と比較して通信品質が高いと判定されたセルの電波状況の測定結果報告を選択する構成を有している。
【０１１２】
この構成により、イベントが発生した周波数において設定された所定の基準品質とセルの通信品質とが比較され、通信品質が高いと判定されたセルの電波状況の測定結果報告が、セルの電波状況を示す情報として選択される。これにより、イベントが発生した周波数を基準として通信品質が高いと判定された有用な情報（測定結果報告）のみが送信される。つまり、本実施の形態では、端末装置２がより良いセルを基地局装置３に伝えることができる。また、端末装置２から基地局装置３へ送信する測定結果報告のデータサイズを小さくすることができ、トラフィック量を少なくすることが可能になる。なお、基準品質は、端末装置２に予め設定されていてもよく、基地局装置３から受信することにより端末装置２に設定されてもよい。
【０１１３】
（第４の実施の形態）
次に、本発明の第４の実施の形態の無線通信システム１について説明する。ここでは、本実施の形態の無線通信システム１が、第１の実施の形態と相違する点を中心に説明する。したがって、ここで特に言及しない限り、本実施の形態の構成および動作は、第１の実施の形態と同様である。
【０１１４】
本実施の形態では、測定結果報告を作成するときの測定結果削減部９の動作が、第１の実施の形態と異なる。したがって、ここでは、第４の実施の形態における端末装置２の測定結果削減部９の動作を、図面を参照して説明する。
【０１１５】
図１２は、第４の実施の形態の測定結果削減部９の動作を示すフロー図である。図１２に示すように、まず、測定結果削減部９には、各コンポーネントキャリアのキャリア周波数を使用するセルで構成される測定結果が入力される（Ｓ４００）。ここでは、キャリア周波数ｆ１を使用するセルで構成される測定結果と、キャリア周波数ｆ２を使用するセルで構成される測定結果が入力されると仮定する。また、このとき、測定結果報告を基地局装置３に送るイベントがキャリア周波数ｆ１を使用しているサービングセルで発生したと仮定する。そして、測定結果削減部９は、測定結果がキャリア周波数ｆ１を使用しているセルで構成されているか、測定結果がキャリア周波数ｆ２を使用しているセルで構成されているかの判断を開始する（Ｓ４０１）。
【０１１６】
イベントが発生したキャリア周波数ｆ１を使用するセルで構成されている測定結果であると判断された場合には（Ｓ４０２）、セルの品質がキャリア周波数ｆ１のサービングセルの品質よりもある値（ｘｄＢ、例えばｘ＝３０）以上悪いかどうかを判断し（Ｓ４０３）、品質が悪いと判断されたセルを測定結果報告から削除し（Ｓ４０４）、そうでないセルは測定結果報告に入れると判断する（Ｓ４０５）。
【０１１７】
一方、イベントが発生していないキャリア周波数ｆ２を使用するセルで構成される測定結果であると判断された場合には（Ｓ４０２）、セルの品質がキャリア周波数ｆ２のサービングセルの品質よりもある値（ｙｄＢ、例えばｙ＝４０）以上悪いかどうかを判断し（Ｓ４０６）、品質が悪いと判断されたセルを測定結果報告から削除し（Ｓ４０４）、そうでないセルは測定結果報告に入れると判断する（Ｓ４０５）。
【０１１８】
以上のようにして、測定結果報告から削除するセルと測定結果報告に入れるセルとを判断した結果から、測定結果を変更し（Ｓ４０７）、不必要なセルを削除した測定結果を測定結果報告作成部７に出力する（Ｓ４０８）。
【０１１９】
このように測定結果削減部９において、キャリア周波数毎にサービングセルとの品質差によって、測定結果報告に含めるセルを選定することにより、使用しているキャリア周波数の状況を基準にして、基地局装置３にハンドオーバを判断してもらえる測定結果報告を作成することができる。
【０１２０】
また、測定結果報告にセルを含めるかを判断するサービングセルとの品質差をイベントが発生したキャリア周波数とイベントが発生していないキャリア周波数で変えることにより、測定結果報告に含めるセルの優先度をつけることができる。このとき、サービングセルとの品質差をイベントが発生したキャリア周波数とイベントが発生していないキャリア周波数で変えずに等しくすることも可能である。
【０１２１】
このような第４の実施の形態の無線通信システム１によっても、第１の実施の形態と同様の作用効果が奏される。
【０１２２】
また、本実施の形態の無線通信システム１では、測定結果報告作成部７は、通信に使用している各周波数において設定された所定の基準品質と比較して通信品質が高いと判定されたセルの電波状況の測定結果報告を選択する構成を有している。
【０１２３】
この構成により、通信に使用している各周波数においてセルの通信品質が比較され、通信品質が高いと判定されたセルの電波状況の測定結果報告が、セルの電波状況を示す情報として選択される。これにより、イベントが発生した周波数を基準として通信品質が高いと判定された有用な情報と他の周波数を基準として通信品質が高いと判定された有用な情報（測定結果報告）のみが送信される。つまり、本実施の形態では、端末装置２がより良いセルを基地局装置３に伝えることができる。また、端末装置２から基地局装置３へ送信する測定結果報告のデータサイズを小さくすることができ、トラフィック量を少なくすることが可能になる。なお、基準品質は、端末装置２に予め設定されていてもよく、基地局装置３から受信することにより端末装置２に設定されてもよい。
【０１２４】
（第５の実施の形態）
次に、本発明の第５の実施の形態の無線通信システム１について説明する。ここでは、本実施の形態の無線通信システム１が、第１の実施の形態と相違する点を中心に説明する。したがって、ここで特に言及しない限り、本実施の形態の構成および動作は、第１の実施の形態と同様である。
【０１２５】
本実施の形態では、測定結果報告を作成するときの測定結果削減部９の動作が、第１の実施の形態と異なる。したがって、ここでは、第５の実施の形態における端末装置２の測定結果削減部９の動作を、図面を参照して説明する。
【０１２６】
図１３は、第５の実施の形態の測定結果削減部９の動作を示すフロー図である。図１３に示すように、まず、測定結果削減部９には、各コンポーネントキャリアのキャリア周波数を使用するセルで構成される測定結果が入力される（Ｓ５００）。ここでは、キャリア周波数ｆ１を使用するセルで構成される測定結果と、キャリア周波数ｆ２を使用するセルで構成される測定結果が入力されると仮定する。つぎに、測定結果削減部９には、制御部６からキャリア周波数の優先度（例えば、ｆ１が高優先度、ｆ２が低優先度）が入力される（Ｓ５０１）。そして、測定結果削減部９は、測定結果がキャリア周波数の優先度が高いキャリア周波数ｆ１を使用しているセルで構成されているかどうかを判断する（Ｓ５０２）。
【０１２７】
測定結果がキャリア周波数の優先度が高いキャリア周波数ｆ１を使用しているセルで構成されていると判断された場合、測定結果削減部９は、測定結果を測定結果報告に含めると判断する（Ｓ５０３）。一方、測定結果がキャリア周波数の優先度が低いキャリア周波数ｆ２を使用しているセルで構成されていると判断された場合、測定結果削減部９は、測定結果を測定結果報告に含めないと判断する（Ｓ５０４）。
【０１２８】
以上のようにして、測定結果報告から削除するセルと測定結果報告に入れるセルとを判断した結果から、測定結果を変更し（Ｓ５０５）、不必要なセルを削除した測定結果を測定結果報告作成部７に出力する（Ｓ５０６）。
【０１２９】
このように測定結果削減部９において、キャリア周波数毎の優先度に応じて、測定結果報告に含めるセルを選定することにより、ハンドオーバに使用される確率が高いと判断されるセルのみを含めた測定結果報告を作成することができる。
【０１３０】
このような第５の実施の形態の無線通信システム１によっても、第１の実施の形態と同様の作用効果が奏される。
【０１３１】
また、本実施の形態の無線通信システム１では、端末装置２には、複数の周波数の各々についてハンドオーバを行うときの優先度が設定されており、測定結果報告作成部７は、他の周波数におけるセルの電波状況を示す情報として、複数の周波数におけるセルの測定結果報告のうち優先度に基づいて選択された周波数の測定結果報告を選択する構成を有している。
【０１３２】
この構成により、端末装置２に設定されたハンドオーバの優先度に基づいて、複数の周波数におけるセルの測定結果報告のうちから選択された周波数の測定結果報告が、他の周波数におけるセルの電波状況を示す情報として選択される。つまり、端末装置２が基地局装置３から与えられる優先度により、測定結果報告に含めるセルが選定される。したがって、複数の周波数の測定結果報告をすべて含める場合に比べて、端末装置２から基地局装置３へ送信する測定結果報告のデータサイズを小さくすることができ、トラフィック量を少なくすることが可能になる。なお、優先度は、端末装置２に予め設定されていてもよく、基地局装置３から受信することにより端末装置２に設定されてもよい。
【０１３３】
（第６の実施の形態）
本実施の形態の無線通信システムでは、測定（Measurement）の設定に特徴がある。本実施の形態の測定の設定によれば、複数の周波数の測定結果を一つの測定結果報告にまとめることができる。このような測定設定の構成の例は、何通りか存在するが、以下では三つの主要な例について説明する。つまり、以下の説明は、本発明の測定設定の構成の例であり、他の測定設定の構成を用いても良いことは言うまでもない。
【０１３４】
第１の例は、図１７に示すように、一つの測定識別子（MeasID）に、一つの測定対象識別子（MeasObjectID）と一つの報告設定識別子（ReportConfigID）とを組み合わせる構成である。この場合、異なる測定識別子（MeasID）で測定（Measurement）された測定結果を一つの測定結果報告にまとめる方法を基地局装置３から端末装置２に通知するか、予め端末装置２が知っている必要がある。また、一つの測定結果報告にまとめる方法はいくつか存在する。
【０１３５】
一つ目は、周期的に送るものと、イベント発生時に送るものを区別し、周期的に送るもの同士を一つの測定結果報告にまとめ、イベント発生時に送るものを一つの測定結果報告にまとめる方法である。このようにすることで、周期的に送る測定結果報告とイベント発生時に送る測定結果報告という目的が異なる測定結果報告を別々に送ることができるため、基地局装置３が制御しやすくなる。また、端末装置２も測定結果報告に含めるセルの選定を容易に行うことができる。
【０１３６】
二つ目は、報告設定（ReportConfig）に設定されているイベント毎に一つの測定結果報告にまとめる方法である。このようにすることで、イベント毎に測定結果報告を送ることができるため、より詳細に目的別に測定結果報告を送ることができるため、基地局装置３は、周波数間で端末装置２の状況が似ているものを知ることができるため、制御をしやすくなる。また、端末装置２も測定結果報告に含めるセルの選定を容易に行うことができる。
【０１３７】
三つ目は、周期的に送るものはまとめず、イベント発生時に送るものを一つの測定結果報告にまとめる方法である。このようにすることで、イベント発生時に送る測定結果報告をまとめて送ることができるため、基地局装置３が制御しやすくなる。また、端末装置２も測定結果報告に含めるセルの選定を容易に行うことができる。
【０１３８】
四つ目は、周期的に送るものはまとめず、報告設定（ReportConfig）で設定されているイベント毎に一つの測定結果報告にまとめる方法である。このようにすることで、イベント毎に送る測定結果報告をまとめて送ることができるため、基地局装置３は、周波数間で端末装置２の状況が似ているものを知ることができるため、制御をしやすくなる。また、端末装置２も測定結果報告に含めるセルの選定を容易に行うことができる。このようにすることで、従来の設定を使用することができる。なお、これ以外の方法でも、第１の例を使用して一つの測定結果にまとめることができる。
【０１３９】
なお、測定対象（MeasObject）に複数の周波数を設定することにより、一つの測定結果報告に複数の周波数の測定結果をまとめる方法でもよい。このようにすることで、イベント毎の測定結果を容易にまとめることができる。
【０１４０】
第２の例は、図２１に示すように、一つの測定識別子（MeasID）に、複数の測定対象識別子（MeasObjectID）と一つの報告設定識別子（ReportConfigID）とを組み合わせる構成である。このように、一つの周波数にしか対応していない測定対象識別子（MeasObjectID）をまとめて一つの測定識別子（MeasID）に組み合わせることによって、基地局装置３は、複数の周波数の測定結果を一つの測定結果報告にまとめるための測定設定を端末装置２に通知することができる。また、基地局装置３は端末装置２が一つの測定結果報告に含めるセルを目的に応じて設定することができる。また、端末装置２は測定識別子（MeasID）で示される測定設定ごとに一つの測定結果報告を送れば良いため、測定結果報告に含めるセルの選定が容易になる。また、端末装置２は、測定設定ごとに一つの測定結果報告を送れば良いため、測定結果報告に含める測定識別子は一つとなり、測定結果報告のフォーマットを簡易にできる。
【０１４１】
第３の例は、図２２に示すように、測定対象リストID（MeasObjectListID）を新たに設け、一つの測定識別子（MeasID）に、一つの測定対象識別子（MeasObjectID）と一つの報告識別子（ReportConfigID）とを組み合わせる構成である。測定対象リストID（MeasObjectListID）は、複数の測定対象識別子（MeasObjectID）を組み合わせるための識別子である。このようにすることで、第２の例と同様の効果がある。さらに、測定対象リストID（MeasObjectListID）の導入により、測定設定のフォーマットは、従来のフォーマットに追加するだけになるため、後方互換性が高くなる。
【０１４２】
（第７の実施の形態）
本実施の形態の無線通信システムでは、サービングセルの設定に特徴がある。すなわち、端末装置２は、測定（Measurement）を開始した後、イベントを判定する基準としてサービングセルの受信品質を用いる。このサービングセルの設定の例は何通りか存在するが、以下では五つの主要な例について説明する。つまり、以下の説明は、本発明のサービングセルの設定の例であり、他の方法でサービングセルを設定しても良いことは言うまでもない。なお、このサービングセルの設定は、端末装置２の制御部６によって行われる。したがって、端末装置２の制御部６は、サービングセル設定手段であるといえる。
【０１４３】
第１の例は、一つのセルをサービングセルとして設定する方法である。サービングセルを選択する方法は何通りか存在する。一つ目は、基地局装置３から端末装置２にサービングセルとして使用するセルを通知する方法である。二つ目は、スペシャルセル（special  cell）あるいは、アンカーキャリア（anchor  carrier）と呼ばれる端末装置２が基地局装置３との接続を維持する（例えば、セキュリティの管理を行う）セルをサービングセルとして設定する方法である。三つ目は、サービングセルとして使用できるセル（あるいは、コンポーネントキャリア）の中から一番受信品質のよいセル（あるいは、コンポーネントキャリア）をサービングセルとして設定する方法である。このようにすることで、端末装置２が使用しているコンポーネントキャリアの一つでも電波状況がよければ、イベントが発生しにくくなるため、測定結果報告が送られにくくなり、無駄な測定結果報告を減らすことができる。四つ目は、サービングセルとして使用できるセル（あるいは、コンポーネントキャリア）の中から一番受信品質の悪いセル（あるいは、コンポーネントキャリア）をサービングセルとして設定する方法である。このようにすることがで、端末装置２が使用しているコンポーネントキャリアの一つでも電波状況がよければ、イベントが発生しやすくなるため、測定結果報告が送られやすくなるため、モビリティ制御をより早く行うことができる。
【０１４４】
第２の例は、測定対象（MeasObject）毎に一つ設定する方法である。これは、測定対象が渡された周波数を端末装置２が使用中の場合、そのセル（あるいは、コンポーネントキャリア）をサービングセルとする方法である。このようにすることで、周波数毎の特性を考慮したイベント判定が行われるため、より適切な測定結果報告を送ることができるため、モビリティ制御が適切に行われるようになる。端末装置２が使用していない周波数に関しては、何通りか存在する。一つ目は、基地局装置３から端末装置２にサービングセルとして使用するセル（あるいは、コンポーネントキャリア）を通知する方法である。二つ目は、スペシャルセルをサービングセルとして使用する方法である。三つ目は、使用中のセル（あるいは、コンポーネントキャリア）の中で一番良い受信品質のセル（あるいは、コンポーネントキャリア）をサービングセルとする方法である。四つ目は、使用中のセル（あるいは、コンポーネントキャリア）の中で一番悪い受信品質のセル（あるいは、コンポーネントキャリア）をサービングセルとする方法である。五つ目は、使用中のセル（あるいは、コンポーネントキャリア）の中で一番隣接しているセル（あるいは、コンポーネントキャリア）をサービングセルとする方法である。六つ目は、同じ周波数帯域に属している使用中のセル（あるいは、コンポーネントキャリア）の中で一番隣接しているセル（あるいは、コンポーネントキャリア）をサービングセルとする方法である。なお、イベント毎にこれらの方法を変える方法を用いても良い。このようにすることで、イベントを発生しやすくする、あるいは、イベントを発生しにくくすることができ、イベントの特徴にあわせることができる。
【０１４５】
第３の例は、物理層ダウンリンク制御チャネル（Physical  Downlink  Control  Channel、以下単に「ＰＤＣＣＨ」という）が送られるコンポーネントキャリア毎にサービングセルを設定する方法である。使用中の周波数の中でＰＤＣＣＨが送られていないセル（あるいは、コンポーネントキャリア）に関しては、そのセル（あるいは、コンポーネントキャリア）の物理層ダウンリンク共有チャネル（Physical  Downlink  Shared  Channel、以下単に「ＰＤＳＣＨ」という）を示すＰＤＣＣＨを送っているセル（あるいは、コンポーネントキャリア）をサービングセルとする。このようにすることで、サービングセルの数を抑えつつも、周波数毎の特性を考慮したイベント判定が行われるため、適切な測定結果報告を送ることができるため、モビリティ制御が適切に行われるようになる。使用していない周波数に関しては、上記第２の例と同様である。
【０１４６】
第４の例は、基地局装置３から端末装置２にサービングセルを通知して設定する方法である。例えば、８００ＭＨｚ帯と２ＧＨｚ帯を同時に使用している場合、８００ＭＨｚ帯に一つ、２ＧＨｚ帯に一つのサービングセルを設定する。このようにすることで、サービングセルの数をより抑えつつも、周波数毎の特性を考慮したイベント判定が行われるため、適切な測定結果報告を送ることができるため、モビリティ制御が適切に行われるようになる。
【０１４７】
第５の例は、報告設定（ReportConfig）毎にサービングセルを通知して、設定する方法である。例えば、１ビットを使用して、一つのセルをサービングセルとして使用する、あるいは、複数のセルをサービングセルとして使用する、ということを通知する。このようにすることで、一つのセルをサービングセルとして使用する場合と、複数のセルをサービングセルとして使用する場合とを、併用することができる。なお、一つのセルとは、上記第１の例の方法により設定してもよい。なお、複数のセルとは、上記第２から第３の例の方法により設定してもよい。
【０１４８】
第６の例は、測定識別子（MeasID）毎にサービングセルを通知して、設定する方法である。例えば、１ビットを使用して、一つのセルをサービングセルとして使用する、あるいは、複数のセルをサービングセルとして使用する、ということを通知する。このようにすることで、一つのセルをサービングセルとして使用する場合と、複数のセルをサービングセルとして使用する場合とを、併用することができる。また、このようにすることで、設定するための情報量を少なくすることができる。なお、一つのセルとは、上記第１の例の方法により設定してもよい。なお、複数のセルとは、上記第２から第３の例の方法により設定してもよい。
【０１４９】
なお、端末がキャリアアグリゲーションに使用するコンポーネントキャリアを切り替える際（ハンドオーバ時と再確立（re-establishment）時、あるいは、基地局からの切り替え通知などの時）に、測定設定（measurement  configuration）の変更通知なしで、使用するコンポーネントキャリアの切り替えに追随して測定設定を切り替えてもよい。例えば、測定識別子（MeasID）に紐づけられている測定対象識別子（MeasObjectID）を切り替える方法があるが、このときに、サービングセルも併せて切り替える方法である。
【０１５０】
以下では、測定識別子（MeasID）毎にサービングセルが紐づけられる場合を例に挙げて説明する。また、端末が、ｆ１、ｆ２のコンポーネントキャリアを使用してキャリアアグリゲーションをしている際に、ｆ２とｆ３のコンポーネントキャリアを使用したキャリアアグリゲーションに切り替える場合を例に挙げて説明する。
【０１５１】
このとき、端末は、ｆ２のコンポーネントキャリアを使用しつづけるので、ｆ２のコンポーネントキャリアの測定設定は変えない。ｆ１の測定対象識別子（MeasObjectID：１）に測定識別子(measID：１)、サービングセル（複数のセルをサービングセルとして使用する（ｆ１））が紐づけられており、ｆ３の測定対象識別子（MeasObjectID：３）に測定識別子（measID：３）、サービングセル（一つのセルをサービングセルとして使用する（ｆ２））が紐づけられている場合、測定識別子（measID：１）に測定対象識別子（MeasObjectID：３）、サービングセル（複数のセルをサービングセルとして使用する（ｆ３））に紐づけを切り替え、測定識別子（measID：３）に測定対象識別子（MeasObjectID：１）、サービングセル（一つのセルをサービングセルとして使用する（ｆ２））に紐づけを切り替える。
【０１５２】
このようにすることで、同じ周波数内で測定するために測定識別子（MeasID）に紐づけられた測定設定と、異なる周波数間で測定するために測定識別子（MeasID）に紐づけられた測定設定とを、目的を維持したまま使用しつづけることができる。なお、サービングセルは、一つのセルをサービングセルとして使用するか、複数のセルをサービングセルとして使用するかは、測定識別子（MeasID）に紐づけられたままであるが、紐づけられる測定対象識別子（MeasObjectID）のキャリア周波数に応じて、変更される。
【０１５３】
なお、切り替える候補が複数存在する場合においても、目的を維持することが本発明の特徴であるため、周波数内で測定するためのものか、周波数間で測定するためのものかを判断することにより、適用することができる。
【０１５４】
例えば、測定識別子に複数の測定対象識別子（MeasObjectID）を紐づけることができる場合、端末が2つのコンポーネントキャリアのキャリアアグリゲーションから、３つのコンポーネントキャリアのキャリアアグリゲーションに切り替える場合、目的に対応した測定識別子、サービングセルに紐づける。測定識別子に複数の測定識別子を紐づけることができない場合、目的に応じた測定識別子が存在する測定対象識別子に関しては、紐づけを切り替え、目的に応じた測定識別子が存在しない測定対象識別子に関しては、従来の紐づけを切ってもよい。
【０１５５】
なお、測定識別子に複数の測定識別子を紐づけることができない場合、優先順位を決めて、測定識別子に測定対象識別子を紐づけるようにし、目的に応じた測定識別子に紐づけることのできない測定対象識別子は、従来の紐づけを切ってもよい。なお、優先順位は、従来から使用していたものを維持することを優先する。なお、測定識別子に紐づけられていた測定対象識別子のキャリア周波数と同じ帯域内に属するキャリア周波数の測定識別子を優先してもよい。
【０１５６】
このようにすることで、測定識別子に紐づけられた測定設定のパラメータがより適したものとなりやすくなる。なお、優先順位はこれ以外にもアンカーキャリア、受信品質の良いキャリア、端末がPDCCHを受信するキャリアなどがあげられる。なお、目的に対応した測定識別子が存在しない場合、その測定設定を削除するようにしてもよい。
【０１５７】
（第８の実施の形態）
本実施の形態の無線通信システムでは、Inter-RAT時に基準とするサービングセルの設定に特徴がある。異なる無線アクセス技術（Inter-RAT：Inter  Radio  Access  Technology）に対する測定設定には、イベントＢ２（サービングセルがスレッショルド１よりも低くなり、Inter-RATのセルがスレッショルド２よりも高くなる）と呼ばれるイベントがある。このとき、スレッショルド１とスレッショルド２に関しては、測定設定に含まれる。そして、基準とするサービングセルの設定には何通りか存在するが、以下では六つの主要な例について説明する。つまり、以下の説明は、本発明のサービングセルの設定の例であり、他の方法を用いても良いことは言うまでもない。なお、このサービングセルの設定は、端末装置２の制御部６によって行われる。したがって、端末装置２の制御部６は、サービングセル設定手段であるといえる。
【０１５８】
第１の例は、サービングセルとして設定されている全てのサービングセルの受信品質が、スレッショルド１よりも低くなると、イベントＢ２の一部（サービングセルがスレッショルド１よりも低くなる）を満たすと判定する方法である。このようにすることで、端末装置２はE-UTRAを使用できる状況では、E-UTRAを優先して使用することができる。
【０１５９】
第２の例は、サービングセルとして設定されているサービングセルのうち、使用中のセル（あるいは、コンポーネントキャリア）全ての受信品質が、スレッショルド１よりも低くなると、イベントＢ２の一部（サービングセルがスレッショルド１よりも低くなる）を満たすと判定する方法である。このようにすることで、端末装置２は、使用中のE-UTRAを使用しつづけることができる状況では、E-UTRAを優先して使用することができる。
【０１６０】
第３の例は、サービングセルとして設定されているサービングセルのうち一つのサービングセルの受信品質が、スレッショルド１よりも低くなると、イベントＢ２の一部（サービングセルがスレッショルド１よりも低くなる）を満たすと判定する方法である。このようにすることで、端末装置２はE-UTRAの状況が一部でも悪くなってきたら、すぐに他のRATの状況を見て、適したRATを素早く探すことができる。
【０１６１】
第４の例は、サービングセルとして設定されているサービングセルのうち、使用中のセル（あるいは、コンポーネントキャリア）一つのサービングセルの受信品質が、スレッショルド１よりも低くなると、イベントＢ２の一部（サービングセルがスレッショルド１よりも低くなる）を満たすと判定する方法である。このようにすることで、端末装置２は使用中のE-UTRAの状況が一部でも悪くなってきたら、すぐに他のRATの状況を見て、適したRATを素早く探すことができる。
【０１６２】
第５の例は、サービングセルとして設定されている全てのサービングセルの受信品質の平均が、スレッショルド１よりも低くなると、イベントＢ２の一部（サービングセルがスレッショルド１よりも低くなる）を満たすと判定する方法である。このようにすることで、E-UTRAとRATを公平に扱うことができる。
【０１６３】
第６の例は、サービングセルとして設定されているサービングセルのうち、使用中のセル（あるいは、コンポーネントキャリア）全ての受信品質の平均が、スレッショルド１よりも低くなると、イベントＢ２の一部（サービングセルがスレッショルド１よりも低くなる）を満たすと判定する方法である。このようにすることで、端末装置２が使用中のE-UTRAとRATを公平に扱うことができる。
【０１６４】
（第９の実施の形態）
本実施の形態の無線通信システムでは、測定結果報告に含めるサービングセルの選択方法に特徴がある。ここでは、まず、Inter-RAT時の測定結果報告に含めるサービングセルの選択方法について説明する。Inter-RATの測定結果報告に含めるサービングセルの選択方法には、何通りか存在するが、以下では四つの主要な例について説明する。つまり、以下の説明は、本発明のサービングセルの選択方法の例であり、他の方法を用いても良いことは言うまでもない。なお、測定結果報告に含めるサービングセルの選択は、端末装置２の制御部６によって行われる。したがって、端末装置２の制御部６は、サービングセル選択手段であるといえる。
【０１６５】
第１の例は、サービングセルとして設定されているセル（あるいは、コンポーネントキャリア）の測定結果を全て含める方法である。このようにすることで、基地局装置３は、サービングセルとして設定されているセル（あるいは、コンポーネントキャリア）の全ての状況がわかるので、基地局装置３は知りたいセル全ての状況を知ることができ、端末装置２が使用するコンポーネントキャリアを適切に選択することができる。
【０１６６】
第２の例は、サービングセルとして設定されているセル（あるいは、コンポーネントキャリア）のうち、端末装置２が使用中のセル（あるいは、コンポーネントキャリア）の測定結果を全て含める方法である。このようにすることで、基地局装置３は、端末装置２が使用している状況を把握することができるので、適切に端末装置２が使用するセル（あるいは、コンポーネントキャリア）を選択することができる。
【０１６７】
第３の例は、サービングセルとして設定されているサービングセルのうち、一番受信品質が悪いセル（あるいは、コンポーネントキャリア）の測定結果を含める方法である。このようにすることで、基地局装置３は、端末装置２が使用するコンポーネントキャリアを切り換えが必要であるかどうかを判断することができる。
【０１６８】
第４の例は、サービングセルとして設定されているサービングセルのうち、一番受信品質が良いセル（あるいは、コンポーネントキャリア）の測定結果を含める方法である。このようにすることで、基地局装置３は、端末装置２が接続を維持することができるかどうかを判断することができる。
【０１６９】
つぎに、E-UTRAN内の測定（Measurement）のための測定設定が設定されている場合の測定結果報告に含めるサービングセルの選択方法について説明する。E-UTRAN内の測定（Measurement）のための測定設定が設定されている場合、イベントＡ１（サービングセルが閾値よりも高い）、イベントＡ２（サービングセルが閾値よりも低い）、イベントＡ３（隣接セルがサービングセルよりもよい）、イベントＡ４（隣接セルが閾値よりもよい）、イベントＡ５（サービングセルが閾値１よりも悪く隣接セルが閾値２よりもよい）のときのサービングセルの選択方法の例は何通りか存在する。以下では五つの主要な例について説明するが、上記と同様、これらは本発明のサービングセルの選択方法の例であり、他の方法を用いても良いことは言うまでもない。
【０１７０】
第１の例は、サービングセルとして設定されているセル（あるいは、コンポーネントキャリア）を全て含める方法である。このようにすることで、基地局装置３は、サービングセルとして設定されているセル（あるいは、コンポーネントキャリア）の全ての状況がわかるので、基地局装置３は知りたいセル全ての状況を知ることができ、端末装置２が使用するコンポーネントキャリアを適切に選択することができる。
【０１７１】
第２の例は、サービングセルとして設定されているセル（あるいは、コンポーネントキャリア）のうち、使用中のセル（あるいは、コンポーネントキャリア）を全て含める方法である。このようにすることで、基地局装置３は、端末装置２が使用している状況を把握することができるので、適切に端末装置２が使用するセル（あるいは、コンポーネントキャリア）を選択することができる。
【０１７２】
第３の例は、サービングセルとして設定されているセル（あるいは、コンポーネントキャリア）のうち、イベントが発生したセル（あるいは、コンポーネントキャリア）のサービングセルだけを含める方法である。このようにすることで、基地局装置３は、比較するセル（あるいは、コンポーネントキャリア）がある場合、そのサービングセルの測定結果を知ることができる。
【０１７３】
第４の例は、サービングセルとして設定されているサービングセルのうち、測定結果報告に含めるサービングセル以外のセル（あるいは、コンポーネントキャリア）がある周波数のサービングセルの測定結果を含める方法である。このようにすることで、基地局装置３は、比較するセル（あるいは、コンポーネントキャリア）がある場合、そのサービングセルの測定結果を知ることができる。
【０１７４】
第５の例は、サービングセルとして設定されているサービングセルのうち、測定結果報告を送る測定（Measurement）の測定識別子（MeasID）に測定対象（MeasObject）がある周波数のサービングセルの測定結果を含める方法である。このようにすることで、無駄なサービングセルの測定結果を送るのを防ぐことができる。
【０１７５】
なお、複数の周波数間で同じサービングセルを用いる場合、周波数毎にサービングセルの測定結果をいれなくても良い。このようにすることで、無駄なサービングセルの測定結果を含めるのを防ぐことができる。
【０１７６】
以上のように、サービングセルとして設定されているセル（あるいは、コンポーネントキャリア）を測定結果報告に全て含める場合は、ハンドオーバを行うのに設定している全ての周波数を考慮できるので、よりよいセル（あるいは、コンポーネントキャリア）があれば、そのセル（あるいは、コンポーネントキャリア）を使用することができる。サービングセルとして設定されているセル（あるいは、コンポーネントキャリア）の一部を入れる場合は、条件に合致した周波数のみを考慮できるのでリソースを抑えつつ、端末装置２の使用している周波数のセル（あるいは、コンポーネントキャリア）を比較して良いほうを選択することができる。
【０１７７】
（第１０の実施の形態）
本実施の形態の無線通信システムでは、イベントＡ１（サービングセルが閾値よりも高い）、イベントＡ２（サービングセルが閾値よりも低い）、イベントＡ４（隣接セルが閾値よりもよい）、イベントＡ５（サービングセルが閾値１よりも悪く隣接セルが閾値２よりもよい）のときの周波数ごとの閾値（スレショルド）の設定に特徴がある。
【０１７８】
測定識別子（MeasID）と組み合わされる測定設定識別子（ReportConfigID）が一つの場合、イベントＡ１、Ａ２、Ａ４、Ａ５でイベント判定に使用されるスレッショルドは、周波数間で等しい。周波数間でスレッショルドが等しい場合においても、測定対象（MeasObject）に含まれるオフセットを活用することで、報告設定（ReportConfig）にオフセットを追加することなく、周波数毎のスレッショルドにオフセットを加えることができるため、報告設定（ReportConfig）にオーバヘッドを追加することなく、周波数特性を考慮したイベント判定を行うことができる。
【０１７９】
（第１１の実施の形態）
本実施の形態の無線通信システムでは、セルのペア情報を渡したときの測定結果報告に含めるセルの選択方法に特徴がある。なお、このセルの選択は、端末装置２の制御部６によって行われる。したがって、端末装置２の制御部６は、セル選択手段であるといえる。
【０１８０】
本実施の形態のセルの選択方法を、図２３の例を用いて説明する。図２３に示すように、この例では、三つのペアが形成されており、第１のペア（ペアＡは）、セル１、セル４、セル７で構成され、第２のペア（ペアＢ）は、セル２、セル５、セル８で構成され、第３のペア（ペアＣ）は、セル３、セル６、セル９で構成されている。セル１、セル２、セル３は周波数ｆ１のセルであり、セル４、セル５、セル６は、周波数ｆ２のセルであり、セル７、セル８、セル９は周波数ｆ３のセルである。
【０１８１】
なお、このようなセルのペア情報は、基地局装置３によって設定されている。また、セルのペア情報は、明確な制御信号によって、端末装置２に伝えてもよいし、例えば、同じセルＩＤ（ＰＣＩ）を持つセルはペアであるとすることにより、今までと同じ情報のみでセルのペア情報を端末装置２に伝える方法でもよい。
【０１８２】
端末装置２は、ペアＡに属するセルをサービングセルとして使用しており、セル２でイベントが発生した場合、セル１、セル４、セル７をサービングセルとして測定結果報告に含め、また、イベントが発生したセル２をコンサーンドセル（Concerned  Cell）として測定結果報告に含め、さらに、セル２と同じペアＢに属するセル５とセル８をアソシエーテッドセル（Associated  Cell）として測定結果報告に含める。このようにすることで、より適切なペアにキャリアアグリゲーションを切り換えることができる。
【０１８３】
なお、ここでは、複数のサービングセル（セル１、セル４、セル７）の測定結果のほかにコンサーンドセル（セル２）とアソシエーテッドセル（セル５とセル８）の測定結果を含める場合について例示したが、本発明の範囲はこれに限定されるものではない。例えば、アソシエーテッドセルの測定結果は必ずしも含めなくてもよく、また、サービングセルの測定結果は、一つのサービングセルだけを含めるようにしてもよい。
【０１８４】
（第１２の実施の形態）
本実施の形態の無線通信システムでは、測定結果報告のフォーマットに特徴がある。ここでは、まず、第６の実施の形態（測定設定の構成）における第１の例に示すように複数の測定識別子（MeasID）の測定結果を一つの測定結果報告に含める場合の測定結果報告の例を示す。なお、以下では二つの主要な例について説明するが、本発明がこれに限定されるものでないことは言うまでもない。
【０１８５】
第１の例は、測定結果報告のフォーマットを従来のフォーマットに追加する形ではなく、新規に測定結果報告のフォーマットを生成する場合の例である。図２４は、測定結果報告の新規のフォーマットをMeasurementReportの中に追加する例を示す図である。図２４の例では、MeasurementReportの中にmeasurementReport-r10を追加することによって、新規フォーマットを使用する場合は、measurementReport-r10を選択し、従来のフォーマットを使用する場合は、measurementReport-r8を選択することができる。新規フォーマットは、measResults-r10とnonCriticalExtensionで構成される。
【０１８６】
measResults-r10の中身であるMeasResults-r10の構成のうち一部を図２５に示す。なお、省略した構成要素に関しては、非特許文献１と同様である。図２５は、図２４でMeasurementReportの新規フォーマットの構成要素として追加したMeasResults-r10という構成要素を示す図である。MeasResults-r10は、measResultsSet-r10で構成される。measResultsSet-r10の中身であるMeasResultsSet-r10は、number個以内の従来のフォーマットで用いていたMeasResultsで構成される。このようにすることで、従来の構成要素を使用することができるため、新規に設ける構成要素を減らしつつ、複数の測定識別子に対応する測定結果を一つの測定結果報告にまとめることができる。
【０１８７】
このとき、一つの測定結果報告に含める測定結果は、一つの測定結果報告にまとめると判断されたもののみを含めることができる。また、測定結果報告に含める測定結果の測定識別子（MeasID）毎にサービングセルの測定結果を含める方法となっているが、サービングセルの測定結果をオプションにすることにより、サービングセルの測定結果を一つだけ含めること、あるいは、基準としたサービングセルの測定結果だけを含めることなど含めるサービングセルの測定結果を柔軟に選択することが可能となる。
【０１８８】
第２の例は、測定結果報告のフォーマットを従来のフォーマットに追加する場合の例であり、図２６に示されている。図２６では、MeasResultsにmeasResults-v10x0が追加されている。mesResults-v10x0は、MeasResultsSet-r10から構成される。MeasResultsSet-r10は、MeasResults-r10から構成される。MeasResults-r10は、MeasResultsとほぼ同じ構成であるが、measResultServCellをOPTIONALにしている。このようにすることで、一つの測定結果報告に複数の測定識別子（MeasID）に対応する測定結果を含める際に、含めるサービングセルの測定結果を一つだけにすることができる。また、このようにすることで、一つの測定結果報告に複数の測定識別子（MeasID）に対応する測定結果を含める際に、含めるサービングセルの測定結果を基準としたサービングセルの測定結果だけを含めることができる。
【０１８９】
なお、測定識別子（MeasID）ごとにサービングセルの測定結果をいれる場合は、MeasResuts-r10は、MeasResultsと同じにすることができるため、変更箇所を少なくすることができる。また、なお、測定結果報告に含めるサービングセルの測定結果が一つだけの場合、MeasResults-r10から、measResultServCellを消してもよい。このようにすることでOPTIONAL用のビット（情報）を減らすことができる。なお、省略している構成要素に関しては、非特許文献１と同様である。
【０１９０】
つぎに、第６の実施の形態（測定設定の構成）における第２の例、あるいは、第３の例に示すように一つの測定識別子（MeasID）の測定設定に基づいた測定結果を一つの測定結果報告に含める場合の測定結果報告の例を示す。なお、以下では二つの主要な例について説明するが、本発明がこれに限定されるものでないことは言うまでもない。
【０１９１】
第１の例は、測定結果報告のフォーマットを従来のフォーマットに追加する形ではなく、新規に測定結果報告のフォーマットを生成する場合の例である。測定結果報告の新規のフォーマットをMeasurementReportの中に追加する例は、図２４と同じである。measResults-r10の中身であるMeasResults-r10の構成のうち一部を図２7に示す。MeasResults-r10は、measIdとmeasResultsSet-r10から構成される。MeasResultsSet-r10は、number個以内のMeasResultsBody-r10で構成される。MeasResultsBody-r10は、従来のフォーマットであるMeasResultsのうち、measIDをmeasObjectIDに変更したものである。このようにすることで、どの周波数に対応したものかという情報を含めることができる。また、測定結果報告に含めるサービングセルの測定結果は、OPTIONALにすることによって、測定結果報告に含めるサービングセルの測定結果を選択することができる。
【０１９２】
なお、measObjectIDは周波数情報を示すためのものであるため、周波数情報を示すものに置き変えることも可能である。また、サービングセルの測定結果を一つしかいれないとわかっているならば、measResultsServCellをMeasResults-r10に含め、MeasResultsBody-r10から消してもよい。このようにすることで、OPTIIONAL用のビット（情報）を減らすことができる。なお、なお、省略している構成要素に関しては、非特許文献１と同様である。
【０１９３】
第２の例は、測定結果報告のフォーマットを従来のフォーマットに追加する場合の例であり、図２８に示されている。図２８は、図２６とほぼ同じであり、図２６のMeasResults-r10の中のmeasIDを図２８のMeasResults-r10の中のmeasObjectIDに変えた点が相違するだけである。このようにすることで、追加した部分がどの周波数に属するかを判断することができる。このとき、従来のフォーマットの部分に含める情報をAnchor  Carrier、あるいは、Special  Cellの情報としておくことにより、従来のフォーマットの部分と新規のフォーマットの部分とに含める情報を分けることができる。
【０１９４】
なお、従来のフォーマットの部分に含める情報は、上記の情報以外にも、MeasObjectIDが一番小さいものなど別の方法で決めても良い。また、MeasObjectIDの代わりに周波数情報を示すものを用いることも可能である。また、サービングセルの測定結果を一つしか含めない場合は、図６のフォーマットを用いることも可能である。
【０１９５】
なお、測定識別子（MeasID）に複数の測定対象（MeasObject）が組み合わされている場合、すなわち、第６の実施の形態（測定設定の構成）における第２の例、第３の例などの場合、RSRPに加えて、RSRQを含めても良い。このようにすることで、干渉も考慮して、適したセルを選択することができる。また、測定対象（MeasObject）が設定されていない周波数のサービングセルを入れる場合、サービングセルのセットを入れる行を設けることで、対応することができる。
【０１９６】
（第１３の実施の形態）
本実施の形態の無線通信システムでは、Periodical  Reporting時に測定結果報告に含めるセルの選択に特徴がある。端末装置２は、周期的にレポートを送る（Periodic  Reporting）が設定される場合、サービングセルとストロンゲストセル（Strongest  cell）を測定結果報告に含めて送る。なお、ストロンゲストセルとは、受信電力が高いセルのことをいい（受信電力が高い複数のセルを指してもよく）、必ずしも受信電力が最も高いセル一つだけを指すとは限らない。この際、ストロンゲストセルを含める数はある程度制限されるため、ストロンゲストセルの選択には何通りかの方法が存在する。以下では、セル選択の三つの主要な例について説明するが、他の方法を用いても良いことは言うまでもない。なお、ストロンゲストセルの選択の選択は、端末装置２の制御部６によって行われる。したがって、端末装置２の制御部６は、ストロンゲストセル選択手段であるといえる。
【０１９７】
第１の例は、周波数に関係なく、受信電力の高いセルから順に測定結果報告に含める方法である。第２の例は、周波数毎に受信電力の高いセルを１つ含め、ストロンゲストセルを含めるスペースが残っている場合、周波数に関係なく、受信電力の高いセルから順に測定結果報告に含める方法である。このようにすることで、周波数間で偏りが出ずに、基地局装置３は周期的レポートを送る周波数の情報をそれぞれ知ることができる。第３の例は、各周波数間でほぼ同じセル数となるように、周波数毎に受信電力の高いセルから順に測定結果報告に含める方法である。このとき、全ての周波数で同じ数のセルが入らない場合、セル数が多くなる周波数の選択には二通り存在する。一つ目は、ストロンゲストセルの受信電力が低いセルを優先して多く入れる方法である。二つ目は、ストロンゲストセルの受信電力が高いセルを優先して多く入れる方法である。なお、イベント発生後に周期的にレポートを送る場合にも適用することができる。
【０１９８】
以上、本発明の実施の形態を例示により説明したが、本発明の範囲はこれらに限定されるものではなく、請求項に記載された範囲内において目的に応じて変更・変形することが可能である。
【０１９９】
例えば、以上の説明では、第１〜１３の実施の形態を別々に説明したが、本発明の範囲はこれに限定されるものではなく、これらの実施の形態は互いに組み合わせて使用することも可能である。
【０２００】
また、以上の説明では、測定結果削減部９において、端末装置２が既に使用しているコンポーネントキャリアのキャリア周波数の測定結果から測定結果報告に含めるセルを選定する方法を例示したが、端末装置２が使用していないコンポーネントキャリアのキャリア周波数を使用するセルが測定結果に含まれる場合においても、上記実施の形態を使用することができる。
【０２０１】
また、以上の説明では、端末装置２がバンドアグリゲーションをしている際に、一方のコンポーネントキャリアのキャリア周波数を基準にした測定結果のみで測定結果報告を作成する場合は、セルの品質をRSRPで記載し、他方のコンポーネントキャリアのキャリア周波数を基準にした測定結果も含めて測定結果報告を作成する場合は、セルの品質をRSRQで記載する例をあげたが、一方のコンポーネントキャリアのキャリア周波数を基準にした測定結果のみで測定結果報告を作成するか、他方のコンポーネントキャリアのキャリア周波数を基準にした測定結果も含めて測定結果報告を作成するかを示すフラグを測定結果報告にいれて判別してもよい。
【０２０２】
また、以上の説明では、端末装置２がバンドアグリゲーションをしている際に、一方のコンポーネントキャリアのキャリア周波数において、測定結果報告をする基準を満足した場合、全て、他方のコンポーネントキャリアのキャリア周波数を基準にする測定結果を測定結果報告に含めるかを判断していたが、図１４に示すように、測定結果報告を送るイベントが発生した場合にのみ、判断を行い、イベント発生後に周期的に測定結果を報告する場合と周期的に測定結果を報告する場合には、他方のコンポーネントキャリアのキャリア周波数を基準にした測定結果を測定結果報告に含めることを判定しなくてもよい。また、測定結果報告を送るイベントが発生した場合とイベント発生後に周期的に測定結果を報告する場合にのみ、他方のコンポーネントキャリアのキャリア周波数を基準にした測定結果を含めることを判定し、周期的に測定結果を報告する場合には、他方のコンポーネントキャリアのキャリア周波数を基準にした測定結果を測定結果報告に含めることを判定しなくてもよい。
【０２０３】
また、本発明は、異なる周波数帯（例えば、８００ＭＨｚ帯と２ＧＨｚ帯など）を利用してバンドアグリゲーションが行われている場合にのみ適用し、同じ周波数帯を利用してバンドアグリゲーションが行われている場合に適用しないというように使い分けることも可能である。これにより、端末装置２が測定結果報告作成にかかる処理を抑えつつ、ハンドオーバの決定に必要な情報を基地局装置３に送ることができる。また、同じ周波数帯域を利用してバンドアグリゲーションをしている場合でも、周波数の離れ具合、電波状況に応じて、本発明を適用するかを使い分けることも可能である。
【０２０４】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０２０５】
以上のように、本発明にかかる無線通信システムは、複数の周波数を利用して基地局装置と端末装置が通信可能な無線通信システムにおいてハンドオーバに要する時間を短縮することができるという効果を有し、ＬＴＥやＳＡＥなどを用いた無線通信システム等として有用である。
【符号の説明】
【０２０６】
１  無線通信システム
２  端末装置
３  基地局装置
４  受信部
５  測定情報管理部
６  制御部
７  測定結果報告作成部
８  送信部
９  測定結果削減部
１０  受信部
１１  測定情報管理部
１２  ハンドオーバ判定処理部
１３  制御部
１４  送信部
１５  バンドアグリゲーション用判定処理部
１６  通常判定処理部
【図１】
0005629839.tif 000002
【図２】
0005629839.tif 000003
【図３】
0005629839.tif 000004
【図４】
0005629839.tif 000005
【図５】
0005629839.tif 000006
【図６】
0005629839.tif 000007
【図７】
0005629839.tif 000008
【図８】
0005629839.tif 000009
【図９】
0005629839.tif 000010
【図１０】
0005629839.tif 000011
【図１１】
0005629839.tif 000012
【図１２】
0005629839.tif 000013
【図１３】
0005629839.tif 000014
【図１４】
0005629839.tif 000015
【図１５】
0005629839.tif 000016
【図１６】
0005629839.tif 000017
【図１７】
0005629839.tif 000018
【図１８】
0005629839.tif 000019
【図１９】
0005629839.tif 000020
【図２０】
0005629839.tif 000021
【図２１】
0005629839.tif 000022
【図２２】
0005629839.tif 000023
【図２３】
0005629839.tif 000024
【図２４】
0005629839.tif 000025
【図２５】
0005629839.tif 000026
【図２６】
0005629839.tif 000027
【図２７】
0005629839.tif 000028
【図２８】
0005629839.tif 000029